(57)【要約】【課題】リアルの世界では家族がそろってショッピングすることも一つの生活の楽しみとして行われている。しかしながらネットの世界では買い物をするユーザはいつも単独で自身の分のみを購入しているにすぎず、リアルの世界のように一緒に買い物を楽しんだり、同伴者のほしいものを自身で支払ってあげたりすることはできなかった。【解決手段】ログインユーザにその端末0801にて同時に複数のカート0801a、0801bを紐づけるとともに、複数のカートを複数のショッピングをするユーザであるショッピングユーザ、例えば娘と息子にそれぞれの端末0802、0803からに利用可能とした。【選択図】図８
2018020561.tif 000002
【特許請求の範囲】
【請求項１】
カート識別情報を保持するカート識別情報保持部と、
ユーザ識別情報を保持するユーザ識別情報保持部と、
ユーザ識別情報にてログインを受け付けるログイン受付部と、
ログインしたユーザであるログインユーザに複数のカート識別情報を割り当て可能なカート識別情報割当部と、
ログインユーザ識別情報に対してショッピングをするユーザであるショッピングユーザの識別情報であるショッピングユーザ識別情報を直接または間接に関連付けて割り当てるショッピングユーザ識別情報割当部と、
ショッピングをさせるための商品等を表示するための商品等表示部と、
ショッピングユーザ識別情報で識別されるユーザから商品等表示部にて表示される商品等の選択を受け付ける商品等選択受付部と、
選択された商品等の識別情報である商品等識別情報を選択したショッピングユーザ識別情報に直接または間接に関連付けられているカート識別情報に関連付けるカート関連付部と、
を有するネットショッピングシステム。
【請求項２】
前記ショッピングユーザ識別情報割当部は、一のログインユーザに対して複数のショッピングユーザ識別情報を割り当て可能である請求項１に記載のネットシッピングシステム。
【請求項３】
ログインユーザに割り当てられているショッピングユーザにログインユーザに割り当てられているカート識別情報を割り当てるショッピングユーザカート割当部をさらに有する請求項１または２に記載のネットショッピングシステム。
【請求項４】
カート識別情報に関連付けられている商品等識別情報で識別される商品等の配送先を識別するための情報である配送先識別情報をカート識別情報に関連付ける配送先関連付部をさらに有する請求項１から請求項３のいずれか一に記載のネットショッピングシステム。
【請求項５】
ユーザにカートに関連付けられている商品等を閲覧させるカート商品閲覧部をさらに有する請求項１から４のいずれか一に記載のネットショッピングシステム。
【請求項６】
ユーザのユーザ識別情報に応じて閲覧できるカートを限定する閲覧可能カート限定部をさらに有する請求項５に記載のネットショッピングシステム。
【請求項７】
閲覧可能カート限定部は、自身に割り当てられているカート識別情報で識別されるカートに関連付けられた商品等に限定して閲覧可能に閲覧可能カート限定部を制御する閲覧制御部をさらに有する請求項６に記載のネットショッピングシステム。
【請求項８】
自身に関連付けられているカート識別情報に関連付けられている商品等の決済処理をするための決済処理部をさらに有する請求項１から請求項７のいずれか一に記載のネットショッピングシステム。
【請求項９】
保持されているユーザ識別情報にてログインするログイン受付ステップと、
ログインしたユーザであるログインユーザに保持されている複数のカート識別情報を割り当て可能なカート識別情報割当ステップと、
ログインユーザ識別情報に対してショッピングをするユーザであるショッピングユーザの識別情報であるショッピングユーザ識別情報を直接または間接に関連付けて割り当てるショッピングユーザ識別情報割当ステップと、
ショッピングをさせるための商品等を表示するための商品等表示ステップと、
ショッピングユーザ識別情報で識別されるユーザから商品等表示部にて表示される商品等の選択を受け付ける商品等選択受付ステップと、
選択された商品等の識別情報である商品等識別情報を選択したショッピングユーザ識別情報に直接または間接に関連付けられているカート識別情報に関連付けるカート関連付ステップと、
を有する計算機であるネットショッピングシステムの動作方法。
【請求項１０】
保持されているユーザ識別情報にてログインするログイン受付ステップと、
ログインしたユーザであるログインユーザに保持されている複数のカート識別情報を割り当て可能なカート識別情報割当ステップと、
ログインユーザ識別情報に対してショッピングをするユーザであるショッピングユーザの識別情報であるショッピングユーザ識別情報を直接または間接に関連付けて割り当てるショッピングユーザ識別情報割当ステップと、
ショッピングをさせるための商品等を表示するための商品等表示ステップと、
ショッピングユーザ識別情報で識別されるユーザから商品等表示部にて表示される商品等の選択を受け付ける商品等選択受付ステップと、
選択された商品等の識別情報である商品等識別情報を選択したショッピングユーザ識別情報に直接または間接に関連付けられているカート識別情報に関連付けるカート関連付ステップと、
を有する計算機であるネットショッピングシステムに読み取り実行可能に記述した動作プログラム。
【発明の詳細な説明】
【技術分野】
【０００１】
本発明はいわゆるネットショッピングシステムに関し、特にネットショッピングをするユーザとショッピングした商品を決済まで保持しておくカートの技術に関する。
【背景技術】
【０００２】
従来のネットショッピングでは一のユーザが一のショッピングサイトにて一のカートを利用できることが原則であり、決済もそのユーザがカートに入れた分をそのユーザの責任において決済するのが通例であった。
【先行技術文献】
【特許文献】
【０００３】
【特許文献１】特表2002-530782
【発明の概要】
【発明が解決しようとする課題】
【０００４】
リアルの世界では家族がそろってショッピングすることも一つの生活の楽しみとして行われている。しかしながらネットの世界では買い物をするユーザはいつも単独で自身の分のみを購入しているにすぎず、リアルの世界のように一緒に買い物を楽しんだり、同伴者のほしいものを自身で支払ってあげたりすることはできなかった。特に遠方に離れている家族などはリアルの世界でも一緒のショッピングは困難であり、これをネット上で解決する手段がなかった。
【課題を解決するための手段】
【０００５】
＜解決手段としての発明＞【０００６】
「第一の発明」として、カート識別情報を保持するカート識別情報保持部と、ユーザ識別情報を保持するユーザ識別情報保持部と、ユーザ識別情報にてログインするログイン受付部と、ログインしたユーザであるログインユーザに複数のカート識別情報を割り当て可能なカート識別情報割当部と、ログインユーザ識別情報に対してショッピングをするユーザであるショッピングユーザの識別情報であるショッピングユーザ識別情報を直接または間接に関連付けて割り当てるショッピングユーザ識別情報割当部と、ショッピングをさせるための商品等を表示するための商品等表示部と、ショッピングユーザ識別情報で識別されるユーザから商品等表示部にて表示される商品等の選択を受け付ける商品等選択受付部と、選択された商品等の識別情報である商品等識別情報を選択したショッピングユーザ識別情報に直接または間接に関連付けられているカート識別情報に関連付けるカート関連付部と、を有するネットショッピングシステムを提供する。【０００７】
「第二の発明」として、第一の発明を基礎として前記ショッピングユーザ識別情報割当部は、一のログインユーザに対して複数のショッピングユーザ識別情報を割り当て可能である請求項１に記載のネットシッピングシステムを提供する。【０００８】
「第三の発明」として、ログインユーザに割り当てられているショッピングユーザにログインユーザに割り当てられているカート識別情報を割り当てるショッピングユーザカート割当部をさらに有する第一または第二の発明を基礎としたネットショッピングシステムを提供する。【０００９】
「第四の発明」として、カート識別情報に関連付けられている商品等識別情報で識別される商品等の配送先を識別するための情報である配送先識別情報をカート識別情報に関連付ける配送先関連付部をさらに有する第一から第三の発明のいずれか一を基礎としたネットショッピングシステムを提供する。【００１０】
「第五の発明」として、ユーザにカートに関連付けられている商品等を閲覧させるカート商品閲覧部をさらに有する第一から第四のいずれか一を基礎としたネットショッピングシステムを提供する。【００１１】
「第六の発明」として、ユーザのユーザ識別情報に応じて閲覧できるカートを限定する閲覧可能カート限定部をさらに有する第五の発明を基礎とするネットショッピングシステムを提供する。【００１２】
「第七の発明」として、閲覧可能カート限定部は、自身に割り当てられているカート識別情報で識別されるカートに関連付けられた商品等に限定して閲覧可能に閲覧可能カート限定部を制御する閲覧制御部をさらに有する第六の発明を基礎としたネットショッピングシステムを提供する。【００１３】
「第八の発明」として、自身に関連付けられているカート識別情報に関連付けられている商品等の決済処理をするための決済処理部をさらに有する第一から第八のいずれか一の発明を基礎とするネットショッピングシステムを提供する。【００１４】
「第九の発明」として、保持されているユーザ識別情報にてログインするログイン受付ステップと、ログインしたユーザであるログインユーザに保持されている複数のカート識別情報を割り当て可能なカート識別情報割当ステップと、ログインユーザ識別情報に対してショッピングをするユーザであるショッピングユーザの識別情報であるショッピングユーザ識別情報を直接または間接に関連付けて割り当てるショッピングユーザ識別情報割当ステップと、ショッピングをさせるための商品等を表示するための商品等表示ステップと、ショッピングユーザ識別情報で識別されるユーザから商品等表示部にて表示される商品等の選択を受け付ける商品等選択受付ステップと、選択された商品等の識別情報である商品等識別情報を選択したショッピングユーザ識別情報に直接または間接に関連付けられているカート識別情報に関連付けるカート関連付ステップと、を有する計算機であるネットショッピングシステムの動作方法の発明を提供する。【００１５】
「第十の発明」として、保持されているユーザ識別情報にてログインするログイン受付ステップと、ログインしたユーザであるログインユーザに保持されている複数のカート識別情報を割り当て可能なカート識別情報割当ステップと、ログインユーザ識別情報に対してショッピングをするユーザであるショッピングユーザの識別情報であるショッピングユーザ識別情報を直接または間接に関連付けて割り当てるショッピングユーザ識別情報割当ステップと、ショッピングをさせるための商品等を表示するための商品等表示ステップと、ショッピングユーザ識別情報で識別されるユーザから商品等表示部にて表示される商品等の選択を受け付ける商品等選択受付ステップと、選択された商品等の識別情報である商品等識別情報を選択したショッピングユーザ識別情報に直接または間接に関連付けられているカート識別情報に関連付けるカート関連付ステップと、を有する計算機であるネットショッピングシステムに読み取り実行可能に記述した動作プログラムの発明を提供する。
＜その他の解決手段＞【００１６】
その他、下記のような解決手段であってもよい。【００１７】
「その他第一の解決手段」として、利用者を識別する情報である利用者識別情報を保持する利用者識別情報保持部と、利用者識別情報により利用者のログインを受け付けるログイン受付部と、ネット経由にて購入可能な商品等を表示する商品等表示部と、ログイン済み利用者から商品等表示部にて表示される商品等の選択を受け付ける選択受付部と、選択された商品の識別情報である商品等識別情報と、ユーザ識別情報と、決済処理単位を識別するための情報である決済処理単位識別情報と、を関連付けた情報であるカート情報を保持するカート情報保持部と、カート情報持部で関連付けられるユーザ識別情報と、決済処理単位識別情報と、の関連付けを制御する関連付制御部と、カート情報にて商品等識別情報と関連付けられているユーザ識別情報で識別されるユーザにカート情報にて当該ユーザ識別情報に関連付けられている商品等識別情報にて識別される商品等を表示する選択済商品等表示部と、カート情報保持部に保持されているカート情報に含まれる決済処理単位識別情報で識別される決済処理単位ごとに決済処理をするための決済処理部と、を有するネットショッピングシステムを提供する。【００１８】
「その他第二の解決手段」として、その他第一の解決手段を基礎として、関連付制御部は、ユーザ識別情報と決済処理単位識別情報とを一対多の関係で関連付ける制御をする一対多制御手段を有するネットショッピングシステムを提供する。【００１９】
「その他第三の解決手段」として、その他第一と第二の解決手段を基礎として、関連付制御部は、ユーザ識別情報と決済処理単位識別情報とを多対一の関係で関連付ける制御をする一対多制御手段を有するネットショッピングシステムを提供する。【００２０】
「その他第四の解決手段」として、その他、第一から第三の解決手段を基礎として、関連付制御部は、ユーザ識別情報と決済処理単位識別情報とを多対多の関係で関連付ける制御をする多対多制御手段を有するネットショッピングシステムを提供する。【００２１】
「その他第五の解決手段」として、その他第一から第四の解決手段を基礎として、カート情報に含まれるユーザ識別情報として決済処理部における決裁権限を有するユーザの識別情報である決済ユーザ識別情報と、選択受付部にて商品等の選択をする権限を有するユーザの識別情報である選択ユーザ識別情報を取得する種別ユーザ識別情報取得部をさらに有し、決裁単位ごとに決済ユーザ識別情報で識別されるユーザにのみ決済処理部での決済が許容されるように決済処理部を制御する決済処理制御部と、選択ユーザ識別情報で識別されるユーザにのみ商品等の選択が許容されるように商品等選択部を制御する商品等選択制御部と、をさらに有するネットショッピングシステムを提供する。【００２２】
「その他第六の解決手段」として、その他第一から第五の解決手段を基礎として、一の決済処理単位識別情報と関連付けられている複数のユーザ識別情報で識別されるユーザ間でチャット会話をするためのチャット部をさらに有するネットショッピングシステムを提供する。【００２３】
「その他第七の解決手段」として、利用者識別情報により利用者のログインを受け付けるログイン受付ステップと、ネット経由にて購入可能な商品等を表示する商品等表示ステップと、ログイン済み利用者から商品等表示部にて表示される商品等の選択を受け付ける選択受付ステップと、選択された商品の識別情報である商品等識別情報と、ユーザ識別情報と、決済処理単位を識別するための情報である決済処理単位識別情報と、を関連付けた情報であるカート情報を記録保持するカート情報記録保持ステップと、カート情報記録保持ステップで関連付けられるユーザ識別情報と、決済処理単位識別情報と、の関連付けを制御する関連付制御ステップと、カート情報にて商品等識別情報と関連付けられているユーザ識別情報で識別されるユーザにカート情報にて当該ユーザ識別情報に関連付けられている商品等識別情報にて識別される商品等を表示する選択済商品等表示ステップと、  カート情報記録保持ステップにて記録保持されたカート情報に含まれる決済処理単位識別情報で識別される決済処理単位ごとに決済処理をするための決済処理ステップと、を有する計算機であるネットショッピングシステムの動作方法を提供する。【００２４】
「その他第八の解決手段」として、利用者識別情報により利用者のログインを受け付けるログイン受付ステップと、ネット経由にて購入可能な商品等を表示する商品等表示ステップと、ログイン済み利用者から商品等表示部にて表示される商品等の選択を受け付ける選択受付ステップと、選択された商品の識別情報である商品等識別情報と、ユーザ識別情報と、決済処理単位を識別するための情報である決済処理単位識別情報と、を関連付けた情報であるカート情報を記録保持するカート情報記録保持ステップと、カート情報記録保持ステップで関連付けられるユーザ識別情報と、決済処理単位識別情報と、の関連付けを制御する関連付制御ステップと、カート情報にて商品等識別情報と関連付けられているユーザ識別情報で識別されるユーザにカート情報にて当該ユーザ識別情報に関連付けられている商品等識別情報にて識別される商品等を表示する選択済商品等表示ステップと、カート情報記録保持ステップにて記録保持されたカート情報に含まれる決済処理単位識別情報で識別される決済処理単位ごとに決済処理をするための決済処理ステップと、を有する計算機であるネットショッピングシステムに読取実行可能に記録したネットショッピングプログラムを提供する。
【発明の効果】
【００２５】
本発明によれば、複数のカートを複数人で利用するネットショッピングが可能であり、さらに、一のカートを複数人で利用するネットショッピングも可能となる。したがって、ネットショッピングがコミュニケーションを伴う行為として実現でき、今までにないネットショッピングの形態を提供する。
【図面の簡単な説明】
【００２６】
【図１】ネットショッピングシステムの全体像を示す概念図
【図２】実施例１のネットショッピングシステムの機能ブロック図
【図３】実施例１のネットショッピングシステムのハードウエア図
【図４】実施例１の他のネットショッピングシステムの機能ブロック図
【図５】実施例１の他のネットショッピングシステムのハートウエア図
【図６】実施例１の他のネットショッピングシステムの機能ブロック図
【図７】実施例１の他のネットショッピングシステムのハートウエア図
【図８】実施例１のショッピング処理パターンを示す図
【図９】実施例１のショッピング処理パターンを示す図
【図１０】実施例１のショッピング処理パターンを示す図
【図１１】実施例１のショッピング処理パターンを示す図
【図１２】実施例１のショッピング処理パターンを示す図
【図１３】実施例１のショッピング処理パターンを示す図
【図１４】実施例１のショッピング処理パターンを示す図
【図１５】実施例１のショッピング処理パターンを示す図
【図１６（ａ）】実施例１のショッピング処理パターンを示す図
【図１６（ｂ）】決裁権限の決定バリエーションを示す図
【図１６（ｃ）】ショッピングユーザに対するカート（識別情報）の割当バリエーションを示す図
【図１６（ｄ）】決裁権限者とショッピングユーザの割当バリエーション
【図１６（ｅ）】カートの属性バリエーション
【図１７】ログイン、ショッピング等処理フロー図
【図１８】ログイン、ショッピング等処理フロー図
【図１９】ログイン、ショッピング等処理フロー図
【図２０】ログイン、ショッピング等処理フロー図
【図２１】同時ログイン時のショッピング画面構成
【図２２】同時ログイン時のショッピング画面構成
【図２３】同時ログイン時のショッピング画面構成
【図２４】特殊な処理を示す概念図
【図２５】特殊な処理を示す概念図
【図２６】実施例２のネットショッピングシステムの機能ブロック図
【図２７】実施例２のネットショッピングシステムのハートウエア図
【図２８】実施例２の配送を示す概念図
【図２９】実施例２の配送を示す概念図
【図３０】実施例３のネットショッピングシステムの機能ブロック図
【図３１】実施例３のネットショッピングシステムのハードウエア図
【図３２】実施例３のネットショッピングシステムの機能ブロック図
【図３３】実施例３のネットショッピングシステムのハードウエア図
【図３４】実施例３のカートの閲覧概念図
【図３５】実施例３のカートの閲覧概念図
【発明を実施するための形態】
【００２７】
＜実施例と請求項との関係＞
【００２８】
以下、本件発明の実施の形態について、実施形態中にて説明する実施例と請求項との関係を示す。主として、実施例１の説明は主に、請求項１、請求項２、請求項３、請求項８、請求項９、請求項１０に関する。実施例２の説明は主に請求項４に関する。実施例３の説明は主に請求項５、請求項６、請求項７に関する。
【００２９】
＜各請求項に記載されている発明は実施例に限定されない＞
【００３０】
本件出願の特許請求の範囲、各請求項の権利範囲は、これら実施例に何ら限定されるべきものではなく、その要旨を逸脱しない範囲において、種々なる態様で実施し得る。
【００３１】
＜本件発明（解決手段、その他の解決手段を含む）を実施する際に用いられる要素＞
【００３２】
なお、本件発明は原則的に電子計算機を利用する発明であるが、ソフトウエアによって実現され、ハードウエアによっても実現され、ソフトウエアとハードウエアの協働によっても実現される。ハードウエアでは、コンピュータの基本的構成であるCPU、メモリ、バス、入出力装置、各種周辺機器、ユーザーインターフェイスなどによって構成される。各種周辺機器には、記憶装置、インターネットインターフェイス、インターネット機器、ディスプレイ、キーボード、マウス、スピーカー、カメラ、ビデオ、テレビ、CD装置、DVD装置、ブルーレイ装置、プロジェクタ装置、SSD、電話、ファックス、コピー機、印刷装置、ムービー編集装置、各種センサ装置などが含まれる。
【００３３】
また機能としてチャット機能、テレビ電話機能、テレビ会議機能、SNS機能、データベース機能（例えば商品等、ユーザ等）、データベース検索機能（例えば商品等、ユーザ等の検索機能）、データベース内アイテム（例えば商品等）のレコメンド機能、レコメンドに際しての人工知能機能、インターネット内のクロール機能、URLのリダイレクト機能、自動音声機能（テキスト情報の音声化など）の各種機能が本件発明の各部を補助するために利用されうる。
【００３４】
＜本件発明（解決手段、その他の解決手段を含む）は装置等の物理的な一体性、分散性に制限されない＞
【００３５】
また、本件発明のネットショッピングシステムは一のサーバ、一のサーバ筐体にて必ずしも実現されるべきものでなく、複数の装置、複数の筐体によって構成されてもよい。また必ずしもこれら複数の装置が一つの国の中に配置されている必要はなく複数の国にまたがって配置されていてもよい。
【００３６】
＜本件発明（解決手段、その他の解決手段を含む）、本件発明の説明中の用語＞
【００３７】
「カート」の用語は、実体性のあるカートでなく、ネット上での概念である。
【００３８】
「割当、割り当て」の用語は、識別情報で識別されるユーザ、カート、商品等、のそれぞれを関連付ける処理をいう。
【００３９】
「商品等」の用語は、商品、サービス、不動産、特定の権利や権限（物権、債券、知的所有権）、有価証券、有用な情報、人物（芸能人、アーティスト、芸術家、作家、作曲家、作詞家、投資家等）のいずれか一以上を意味する。
【００４０】
「ショッピング、ネットショッピング」の用語は、権利解釈の際には商品等の実態に応じて柔軟に解釈されなければならない。
【００４１】
「配送先」の用語は、権利解釈の際には商品等の実態に応じて柔軟に解釈されなければならない。
【００４２】
「決裁権限」の用語は、請求項上は用いられていない。これは必ずしも決裁権限という概念が本件発明の必須概念ではないからである。ただし、発明の説明中でよく用いられるのは本件発明を決裁権限を与えるユーザとその他のユーザという枠組みで用いれば非常に有用だからである。ここで決裁とは取引を完結させるための法的な行為をいい、多くの場合には金銭、有価証券、仮想通貨、ネット上の取引に利用されるポイントなどの支払いないしは、支払義務の発生を伴う行為をさす。
【実施例１】
【００４３】
＜全体像：ビジネスモデルの説明＞【００４４】
図１は大まかにビジネスモデルの全体を示す図である。以下このシステムをどのように利用するかを順に説明してビジネスモデルの概要を把握する。【００４５】
（１）例えば離れて暮らす親子の家庭の父親がネットショッピングシステム0100にログインする。ログインは家庭のデスクトップ端末からなされてもよいし、携帯端末、例えば、スマートフォン、携帯電話、タブレット端末などから行われてもよい。【００４６】
（２）自身の端末0101からログインした父親は自身が決裁権限を有するショッピングカート（以下単に「カート」と称する。）であって、同時にショッピングに利用可能なカートを複数用意する。これはネットショッピングシステムのＧＵＩを介して父親の好きな数だけ準備できるように構成してよい。【００４７】
（３）そして、父親は、ネットショッピングシステムにあらかじめ登録してある選択肢から娘と息子の二人を選択し、選択によってネットショッピングシステムから自動的に二人のあらかじめ登録している端末0102、0103に対してカートを準備したことを連絡する。二人の端末はやはりデスクトップ端末でもよいし、携帯端末、例えば、スマートフォン、携帯電話、タブレット端末などであってもよい。また二人が複数の端末を利用している場合にはそれらがネットショッピングシステムに登録されていれば、そのすべてに対して連絡が行くように構成されていてもよい。【００４８】
（４）娘が娘の端末0102から、息子が息子の端末0103からショッピングユーザとしてログインし、それぞれが同時にショッピングを楽しむことができる。この際に娘と息子、さらにはログインしている場合には父親も含めてチャットしながらショッピングができたり、ないしはテレビ電話機能を利用してショッピングができるように構成してもよい。テレビ電話機能は、インターネットを利用するものでもよいし、他の回線を利用するものでもよい。【００４９】
（５）また、チャットやテレビ電話機能を利用しながら、他の人のカートの中身や、他の人のショッピング中の画面を見ることができるように構成することも考えられる。【００５０】
（６）複数のカートは例えば第一のカートを娘が専用に利用し、第二のカートを息子が専用に利用するように構成することも考えられる。また父親自身もショッピングユーザとして第三のカートを利用するように構成してもよい。【００５１】
（７）また一のカートを複数のショッピングユーザが利用するように構成してもよい。例えば娘が二人いる場合には二人の娘で一つのカートを利用するように構成することも考えられる。【００５２】
（８）ショッピングが終わったら父親が複数のカートを一斉に決済する。これが原則であるが、一斉に決済しないでひとつづつ決済するように構成してもよい。【００５３】
（９）さらに決裁権限について父親に加えて、娘に自身のカートの決裁権限を与えるように構成してもよい。この場合には娘の利用していたカートは父親が決裁することも娘が決裁することも可能となる。【００５４】
本件発明には多種の実施の形がある。以下、本実施例におけるネットショッピングシステムについて、機能的構成、ハードウェア構成及び処理の流れについて、順に説明する。
＜本件発明の利用のシーンの例＞【００５５】
本件発明は例えば、（１）親子や親せきで買い物をする場合、（２）複数の友人から友達に何かのお祝い品などを送る場合、（３）パーティやバーベキューなど複数の人たちで開催する場合にその備品や料理などを買い物する場合、（４）複数の人たちで旅行する場合に、旅行のオプション旅行を選ぶような場合、（５）社内や職場で必要な備品を皆で話し合いながら購入する場合、（６）自治会の催し物など住民が話し合いながら必要品をそろえる場合、（７）複数人で買い物ゲームをする場合、その他多様な利用シーンが考えられる。
＜機能的構成＞【００５６】
図２は、本実施例におけるネットショッピングシステムの機能ブロックを示す図である。この図にあるように、本実施例のネットショッピングシステムは、「カート識別情報保持部」0201と、「ユーザ識別情報保持部」0202と、「ログイン受付部」0203と、「カート識別情報割当部」0204と、「ショッピングユーザ識別情報割当部」0205と、「商品等表示部」0207と、「商品等選択受付部」0206と、「カート関連付部」0208と、を有するネットショッピングシステム0200から構成される。なお、特徴的機能部分は「カート識別情報割当部」であり、これ以外の機能部分を除外しても本件発明の特徴的部分は実現可能である。例えば、ログイン等を前提としたうえでカート識別情報を割り当てる構成のみからなる装置を想定可能である。【００５７】
次に順番に各機能ブロックの説明をする。【００５８】
＜ユーザ識別情報保持部＞
「ユーザ識別情報保持部」はユーザ識別情報を保持する。ユーザ識別情報はログインしようとするユーザを識別するために用いられる。初回のログインの際には所定事項がユーザの端末から登録されることでユーザ識別情報が割り当てられる。所定事項とは住所、氏名、年令、電話番号、メールアドレス、SNSの識別情報、決済手段（銀行口座番号、クレジットカード番号、パスワードなど）、家族関係（親子、親戚のユーザ識別情報）、友達関係（友達関係にあるユーザのユーザ識別情報）などが考えられるがこれらすべてである必要はないし、他の情報が含まれることも排除しない。これらはユーザ識別情報に関連付けて保持される。友達関係はSNS（ソーシャルネットワークサービス）から情報を取得するように構成してもよい。【００５９】
＜カート識別情報保持部＞
「カート識別情報保持部」はカート識別情報を保持する。カート識別情報はネットショッピングの際に決裁前の商品、サービス、その他（本出願において「商品等」と称する）を一覧可能にリストにしたものを識別するための情報で、ネットシッピング等で一般的にカート、ショッピングカート、買い物かご、などと称されているものである。ただし一覧可能なリスト機能を果たす点でこれらと共通するものの、必ずしも従来のカート等と同等の機能（常に決済単位となるなど）を有するものではない。またカート識別情報は、ログインしたユーザがネットショッピングをする際に発行され、そのショッピングの決済が完了するか、ショッピング内容の修正期限が経過したのちには廃棄されるように構成してもよいし、同一のユーザには基本的に同じまたは同じルールで生成されるカート識別情報を割り当てるように仕組まれていてこれらが常時保持されるように構成されていてもよい。このカート識別情報は過去の買い物履歴に関連付けて保持するように構成してもよい。この場合には過去の買い物履歴を記録保持する買物履歴記録保持部を必要とする。なお、本件発明においてはユーザのログアウト後もカートを識別する必要がある場合がある。例えば父親が決裁権限を有するユーザとしてログインし、自身の決裁権限を有するカートを複数確保（自身のユーザ識別情報とカートの識別情報との関連付け）したのちに何らショッピングをせずにログアウトし、のちに息子や娘がログインして父親が確保したカートを利用してショッピングをするような場合である。のちの娘や息子のログインがいつまでに行われるか不明である場合には永続的にそのカート識別情報は父親のユーザ識別情報と関連付けられた状態で保持されることとなる。また別の設計思想としては父親がログアウトしたのちに所定時間が経過して何らショッピングがされない場合には自動的にそのカート識別情報を廃棄するという考え方もある。また、その所定時間を父親が設定するように設計することも可能である。さらにはカートに商品等が入れられ（カート識別情報に商品等識別情報が関連付けられ）たのち、所定時間内に決済が行われない場合にこれらの情報を削除するように構成してもよい。【００６０】
＜ログイン受付部＞【００６１】
「ログイン受付部」は、ユーザ識別情報にてログインの受付をする。このネットショッピングシステムを利用するためには原則的にログインをさせるのが好ましい。ログインはユーザ識別情報を用いて、または関連付けて行われるように設計される。ログインすることによりユーザに対して属性が割り当てられる。一つはユーザ識別情報に関連付けられたカート識別情報で識別されるカートにリスト化された商品等の決裁権限を有する決裁権限者としての属性又は／および、カートを利用してショッピングできるショッピングユーザとしての属性である。ログインはユーザの端末装置からの通信によって行われる。ユーザ識別情報とログインパスワードなどを用いてログインさせるのが一般的である。パスワードの他に、またはこれに代えて用いられる情報としてはSNSの識別情報、ユーザの声（声紋）、指紋情報、などを挙げることができる。決裁権限を有するユーザがログインしている場合に、ショッピングユーザとしてログインしようとするユーザがいる場合にはユーザ識別情報とログインパスワードの他に決裁権限を有するユーザの承認を得るように設計してもよい。また決裁権限を有するユーザがログアウト中の場合にはあらかじめショッピングユーザとしてログインを認めるユーザを特定しておき、自身のログアウト中でもログインを許容するように設計することも考えられる。さらには、同様のケースでショッピングユーザがログインしようとする場合に、決裁権限を有するユーザの端末装置に通知を行い、ログインの承認可否を決裁させるように設計してもよい。これは電子メールやSNSを介して行うことも考えられる。【００６２】
＜ログイン受付部―決裁権限の決定＞【００６３】
決裁権限の決定のバリエーションは、図１６（ｂ）に示されるようなものを上げることができる。すなわち、（１）家族や友人などお互いに関連付けられているユーザの中で最初にログイン状態となったユーザを決裁権限者とする構成。（２）決裁権限との関係で関連付けられているユーザの中であらかじめ決裁権限者として登録されているユーザを決裁権限者とする構成。（３）関連付けられているユーザの全員が全員の決裁権限を有するような構成。（４）決裁権限との関係で関連付けられているユーザ間に優先順位があり、上位者が下位者の決裁権限を有するような構成。（５）決裁権限との関係で関連付けられているユーザ中で最後にログインユーザとなったユーザを決裁権限者とする構成。（６）決裁権限との関係で関連付けられているユーザ間のネット上での合意形成に基づいて決裁権限者を決定するような構成。（７）決裁権限との関係で関連付けられるユーザ中で乱数などを利用してくじ引き的に決裁権限者を決定する構成。（８）決裁権限との関係で関連付けられているユーザ間でネット上で行われるゲーム等の勝敗、点数などによって決裁権限者を決定するような構成。である。【００６４】
＜ログイン受付部−ショッピングユーザの決定＞【００６５】
ショッピングユーザとしての属性決定バリエーションは、（１）すでに決裁権限属性を有するユーザが決裁権限との関係で関連付けられているユーザとして登録されている場合に、のちにログインしたユーザをショッピングユーザ属性とする。（２）決裁権限との関係で関連付けられているユーザの中であらかじめショッピングユーザとして登録されているユーザをショッピングユーザ属性のユーザとする構成。（３）関連付けられているユーザの全員が全員のショッピングユーザ属性を有するような構成。（４）決裁権限との関係で関連付けられているユーザ間に優先順位があり、上位者に対して下位者が上位者の有する決裁権限に関するショッピングユーザ属性を有するような構成。（５）決裁権限との関係で関連付けられているユーザ中で最後にログインユーザとなったユーザをショッピングユーザ属性を有するユーザとする構成。（６）決裁権限との関係で関連付けられているユーザ間のネット上での合意形成に基づいてショッピングユーザ属性を有するユーザと決定するような構成。（７）決裁権限との関係で関連付けられるユーザ中で乱数などを利用してくじ引き的にショッピングユーザ属性のユーザを決定する構成。（８）決裁権限との関係で関連付けられているユーザ間でネット上で行われるゲーム等の勝敗、点数などによってショッピングユーザ属性を有するユーザとして決定するような構成。である。【００６６】
＜カート識別情報割当部＞【００６７】
「カート識別情報割当部」は、ログインしたユーザであるログインユーザに複数のカート識別情報を割り当て可能に構成される。割り当て可能なので、一のカートしか割り当てない処理も可能である。カート識別情報の割り当て、すなわちカートの割り当てはログインユーザからの命令に基づいて複数割り当て可能に構成されるのが好ましい。ここでログインユーザは割り当てられたカートを用いたネットショッピングの決裁権限を有するログインユーザが代表的なケースであるが、場合によっては決裁権限を有さないショッピングユーザの命令に基づいてカートの割り当てが行われるように構成してもよい。このショッピングユーザの命令に基づいて割り当てられたカートについてそのユーザが属しているグループ内の決裁権限を有するユーザによってカートに入れられた商品等についての決裁が行われる。ここでカート識別情報の割り当て、すなわちログインユーザに、つまりログインユーザ識別情報にカート識別情報を割り当てる意味は、原則的には割り当てられたカート識別情報で識別されるカートに入れられた、つまり関連付けられた商品等についての決裁権限を有する関係を成立させることを意味する。しかし例外的にはユーザが利用するカートの決定、つまりユーザが選択する商品等をリスト化するカートの識別情報をユーザ識別情報と関連付けることを目的にこの関連付けを実行するように設計してもよい。このようにするメリットとしてはカートごとに属性が異なり、その属性はそのカートを利用するユーザにとって意味があるものである場合にもたらされる。また従来のネットショッピングのカートとの違いは従来のものがカートは、そのカートに関連付けられている商品等を一括決済する単位として利用されるのに対し、本件発明においては、複数のカートに関連付けられている商品等を一括決済するような場合も想定している点である。従来複数のカートを一括決済できなかった点で、それをできる本件発明には特徴の一つがある。【００６８】
＜ショッピングユーザに対するカート割当バリエーション＞【００６９】
図１６（ｃ）はショッピングユーザに対するカート（識別情報）の割当バリエーションをまとめたものである。（１）決裁権限者による割当。これは事前割当と事後割当が考えられる。（２）予め登録されている割当。この登録は各種の方法で行われうる。（３）ショッピングユーザによる任意の割当。この場合にはカートに属性があり、その属性がカートによって異なるような場合に有効である。（４）関連付けられているユーザの合意形成による割当。合意形成はチャットやテレビ会議のようなシステムを用いて行ってもよい。この場合もカート属性があるような場合に有効である。（５）乱数等を用いた割当。（６）関連付けられているユーザ間のゲームの勝敗、点数等での割当。（７）ショッピングユーザとしてのログイン順による割当。（８）ショッピングユーザ全員に対するすべてのカートの割当。（９）ショッピングユーザ属性に基づく割当。（１０）ログイン年月日、時間と所定のルールを用いた割当、などが考えられる。【００７０】
＜カートの属性バリエーション＞【００７１】
図１６（ｅ）は割り当てられるカートの属性バリエーションを一覧にしたものである。（１）全カートの属性は同一。（２）カートにより買物金額上限が定められる。（３）カートにより買物可能商品等が定められる。（４）カートにより買物可能時間帯が定められる。（５）カートにより内容確認可能ユーザが定められる。（６）カートにより買物内容訂正権限者が定められる。（７）カートにより配送時間（普通配送、お急ぎ配送など）が定められる。（８）カートによりショッピングユーザ利用端末（スマホ、タブレット端末、デスクトップＰＣ、携帯電話、電子書籍リーダ、時計型端末など）が定められる。などのバリエーションが考えられる。【００７２】
＜ショッピングユーザ識別情報割当部＞【００７３】
「ショッピングユーザ識別情報割当部」は、ログインユーザ識別情報に対してショッピングをするユーザであるショッピングユーザの識別情報であるショッピングユーザ識別情報を直接または間接に関連付けて割り当てる。間接に割り当てる場合とは、他のショッピングユーザを介して割り当てる場合、他のログインユーザを介して割り当てる場合、ログインユーザに割り当てられている（ログインユーザ識別情報に関連付けられている）カート（識別情報）を介して割り当てる場合などを含む。ここでいうログインユーザは、決裁権限を有するログインユーザである場合が代表的なケースであるが、決裁権限を有しないショッピングユーザであってもよく、また、ログインしただけで決裁権限を有さず、ショッピングユーザでないユーザであってもかまわない。またこの関連付けによる割当は、一度割り当てが行われたのちは、次回以降のネットショッピングの際には、あらかじめ登録されているような場合であってもよい。この割り当ては決裁の権限の関係を確立するための割当である。ショッピングユーザがログインユーザであって決裁権限を有するユーザに割り当てられているカートを用いてネットショッピングをすると、その商品等の決裁をしてもらえる関係である。さらに、割り当ては一対一の関係にとどまらず、一対多、多対一の関係で割り当てられてもよい。また前述のとおり、ログインユーザに対して複数階層（３階層以上）の関係で割り当てが行われてもよい。例えばログインユーザに対して、第一階層のショッピングユーザが割り当てられ、そのショッピングユーザに対して第二階層のショッピングユーザが割り当てられ、さらに第二階層のショッピングユーザに対して第三階層のショッピングユーザが割り当てられるような構成である。このショッピングユーザは、決裁権限のないショッピングユーザでも、決裁権限のあるショッピングユーザであってもよい。一例をあげると、ログインユーザは祖父であり、祖父に割り当てられるショッピングユーザはその祖父の子供であるが、現在は子供のいる父親であり、その父親に対して子供たちがショッピングユーザとして割り当てられるようなケースである。あるいは、ログインユーザは社長であり、社長に割り当てられているショッピングユーザは部長であり、部長に割り当てられているショッピングユーザは課長であるようなケースである。前者の例では祖父は父親とその子供たちがカートに入れた商品等の決裁権限を有するが、父親は子供たちがカートに入れた商品等の決裁権限を有し、祖父がカートに入れた商品等の決裁権限は有さず、子供たちは全く決裁権限を有さないように設定できる。社長と部長と課長のケースも同様である。【００７４】
＜商品等表示部＞【００７５】
「商品等表示部」は、ショッピングをさせるための商品等を表示する機能を有する。この表示とはインターネットなどのネットワークを介したクライアントであるユーザ端末のディスプレイへの表示をさす。インターネットを介する場合には商品等表示部は、インターネットプロトコルを用いてブラウザで解釈可能に商品等の名称、写真や絵、説明テキストや音や場合によりにおいなどの情報を出力する。商品等がプログラムである場合には試用版を出力するように構成してもよい。なおユーザ端末がブラウザでなく、アプリケーションで動作する場合には、そのアプリケーションで解釈可能な情報として送信する。なおこの表示は静止画でも動画でもよく、さらに2Dでも3Dでもよい。また表示されている写真等を任意の方向から見ることができるように表示してもよい。また拡大、縮小表示が可能とに表示してもよい。さらには3Dプリンター用の情報を伴ってもよい。また端末の種類、すなわち、スマートフォン、携帯電話、タブレット端末、ノートPC、デスクトップPCなどに応じて表示の形式を選べるように、または自動的に選択するように構成してもよい。さらにはこれらの端末のディスプレイのサイズ、縦横比に応じて適したものが表示されるように出力してもよい。商品等表示部にて表示させる情報はデータとしてネットショッピングシステム内に保持されていてもよいし、外部のストレージから取得するように構成してもよい。【００７６】
＜商品等選択受付部＞
「商品等選択受付部」は、ショッピングユーザ識別情報で識別されるユーザから商品等表示部にて表示される商品等の選択を受け付ける。選択はユーザ端末の操作によってユーザ端末から送信される信号によって受け付けられる。操作は商品等表示部によってなされる商品等の表示画面に操作受付のための仕組みが組み込まれる。例えば商品等の写真をクリックすることで商品等の選択を受け付けるように構成する。その他、チェックボックスへのチェックの書き込み、選択ボタンやアイコンのクリック、仮想的に描かれているカートへの商品の写真、アイコン等のドラッグアンドドロップ操作、商品等の写真やアイコンの表示されている領域の選択枠での囲い込み（複数まとめて選択する際に便利）、商品等の写真、アイコンが表示されているタッチパネル部分へのタッチ、声による商品名称や商品番号の読み上げ、商品に対する視線の投げかけおよびアイサイン（視線センサにより実行：アイサインとはウインク、黒目の動作など）、などを挙げることができる。商品等選択受付部の機能としては商品等の選択を商品等表示部にて表示されている画面から行う機能のほかに、カートに割り当てられた、つまり買い物かごに入れられた商品等を表示させてその修正をする機能を有していてもよい。修正は全商品等のカートからの削除、商品等の一部のカートからの削除、商品等のカートに入れた個数の変更（例えば、みかん５個を１０個に変更）商品等の色、模様、デザインの変更、の機能を有していてもよい。【００７７】
また商品等の選択に合わせて、商品等の選択優先順位を付す機能を有していてもよい。選択優先順位とは、決裁を他人に任せる場合に、その他人が購入等を認めない商品を選択する場合に購入等を認めない商品をカートから削除する際の順番を定める順位である。例えば、優先順位が高い順に、サングラス、帽子、サンダル、日焼け止め、と定められた場合には、購入等を認めない商品が日焼け止めから順に削除されるようにするものである。さらに、商品等の選択優先順位、つまり、購入希望度合いの高さを定めるボタン、プルダウンメニュー、アイコン、などの選択優先順位入力受付手段が商品等選択受付部に備わっていてもよい。このようなボタン、プルダウンメニュー、アイコン、チェックボックス、その他の選択優先順位入力受付手段は商品等表示部によってユーザ端末の商品等表示画面に表示されることが好ましい。また受け付けた選択優先順位は、カートに割り当てられた商品等を決裁権限者、その他のユーザが閲覧する際に識別可能に表示されることが好ましい。例えばサングラス、帽子、サンダルは優先順位が最も高く星三つであらわされ、日焼け止めは、優先順位が比較的高く星一つであり、その他のカートに割り当てられた商品等は、優先順位としてはふつうなので星なし、というような表示である。これらは、商品等の名称や写真等の横、上、下など商品等の名称や写真の近くに表示するようにするとよい。さらに、決裁権限者からカートに割り当てられている商品等についての意思表示がカートの商品等の名称、写真等の横、上、下など商品等の名称や写真の近くに表示するように構成することも考えられる。たとえば再考を促すようなマークを表示可能にする。例えばクエスチョンマークや、困った顔つきの顔文字、アバターなどである。これらの入力は決裁権限者の端末から行われるようにするとよい。ただし、決裁権限者に限定されるものでなく、他のショッピングユーザなどカートの中身を閲覧する権限を有するユーザにこれらの入力を認めるように構成してもよい。またカートの中の商品ごとに他のショッピングユーザからの仮想の可否投票箱を設けてもよい。多数決で商品等の購入を決定する場合にはこの投票箱の得票数で決定する。そして、可決されればその商品等をカートに割り当てたユーザが削除しない限り決裁対象となるが、否決されればそのカートから商品等が削除され、同じ商品を再びカートに入れることができなくなるように構成する。これらの投票も各ユーザの端末からの入力によって行われる。可決、否決の決定は過半数でもよいし、三分の二以上の賛成でもよいし、各種のルールがあってよい。ただし、投票ルールをあらかじめ定めた選択肢があって選べるようにしておけば便利である。例えば、投票ルールの選択は決裁権限者が選択できるようにすることが考えられる。これらの処理をする商品等投票部を本件発明に付加することが考えられる。【００７８】
また商品等の選択は関連付けられているユーザ間での合意形成によって選択できるように構成してもよい。合意形成は全ユーザの合意でもよいし、全ユーザ中の一部の合意形成グループの合意でもよい。また合意形成は、完全合意でも部分合意でもよい。さらにはショッピングユーザが関連付けられている決裁権限を有するログインユーザの合意を必要とするように構成してもよい。この場合には合意形成に至るまでの商品等はカートではなく、合意形成中であることを示すリスト、例えば名称をテーブルとして、そのテーブルに置かれているような処理をしてもよい。【００７９】
＜カート関連付部＞【００８０】
「カート関連付部」は、選択された商品等の識別情報である商品等識別情報を選択したショッピングユーザ識別情報に直接または間接に関連付けられているカート識別情報に関連付ける。この処理は一般的にはカートに商品等を入れる、と表現される。カートはログインユーザに割り当てられているものであり、ショッピングユーザは自身が関連付けられているログインユーザに割り当てられているカートに自身が選択した商品等を入れることとなる。ログインユーザに複数のカートが割り当てられている場合には、原則的にはいずれか一のカートに商品等を関連付ける（入れる）こととなる。つまり最も典型的なカートへの商品等の入れ方は、ショッピングユーザに複数のカートのいずれかを割り当て、割り当てられたカートに自身の選択した商品等を入れてゆく、というパターンである。この場合にはカート関連付部は、ログインユーザに関連付けられたショッピングユーザとカートとの関連付け、すなわち割当を行う機能を有している。例えば対ショッピングユーザカート割当手段である。ただし、ショッピングユーザに割り当てられる、つまり、利用できるカートは必ずしも唯一に限定される必要はなく、自身が関連付けられたログインユーザに割り当てられたすべてのカートや、複数のカートを利用可能に設計してもよい。例えばログインユーザである父親に二つのカートが割り当てられ、父親に関連付けられているショッピングユーザが娘とその弟である場合に、娘が商品等である飲料水を自身が配送先のカートに入れるとともに、弟が配送先のカートにも同じ飲料水を入れるようなことが可能な仕組みにしてもよい。ショッピングユーザに唯一のカートを割り当てる場合には商品等は選択を受け付けたら直ちに割り当てられているカートに関連付けられる処理を行うが、ショッピングユーザが複数のカートを利用可能である場合には、ショッピングユーザによるカートの選択があった時点で選択を受け付けた商品等がカートに関連付けられる処理が行われる。ショッピングユーザのカートの選択は複数ならんで表示されているカートに対して商品等の写真やアイコンをドラッグアンドドロップする処理などによって行われるように構成することができる。【００８１】
なお、例外的に選択を受け付けた商品をログインユーザに割り当てられているすべてのカートや、一部の複数のカートに同等に関連付けてもよい。またショッピングユーザに割り当てられているカートが複数ある場合にはその割り当てられている複数のカートのすべてに、または一部の複数のカートに同等に割り当てる（入れる、関連付ける）ように設計してもよい。例えば複数のカートのアイコンを画面に表示して、チェックボックスにチェックを入れさせることでショッピングユーザの利用するカートを関連付け、一つの商品等の選択を受け付けると、自動的にチェックボックスによって関連付けられたすべてのカートに同じ商品等が同じ個数入れられるように設計することもできる。また前述のとおり、複数のショッピングユーザが利用する複数のカートアイコンが各ショッピングユーザの商品等表示部、または、それ以外の画面に表示させると便利である。各ショッピングカートはショッピング中か、ショッピング終了か、閲覧中か、などアイコンを一目見てわかるように表示するとさらに便利である。また場合によって、一部のショッピングユーザのカートのアイコンは一部のショッピングユーザに対してアイコンが隠されるように処理してもよい。このようなショッピングカートのアイコンの表示を行うカートアイコン表示部を有していてもよい。
＜その他の構成＞
その他の構成としてログインユーザにプレゼント受取ユーザの属性を付与することが考えられる。プレゼント受取ユーザとは、自身に割り当てたカートに他人が商品等を割り当て、その他人がその商品等の決裁を行って、プレゼントを受け取るというユーザである。このモデルではログインユーザがプレゼント受取ユーザとして自身に複数のカートを割り当て、他のログインユーザが自身の意図でこのプレゼント受取ユーザに関連付け処理を行い、さらにプレゼント受取ユーザに割り当てられているカートの一つと関連付けを行って、そのカートの利用を占有し、その占有したプレゼント受取ユーザのカートに商品等を割り当てる。そして、ショッピングユーザ自身が決裁権限者となり、プレゼント受取ユーザのカートに入れた商品等の決裁をするのである。こうすることによってその決裁された商品等はプレゼント受取ユーザにプレゼントされることとなる。このようなプレゼント処理部を有するように構成することが考えられる。このような処理をするためのGUIポータルへのリンクボタン、リンクアイコン、その他の導入手段をSNS、電子掲示板、投稿共有ウエブサイト、社会福祉活動に関連したホームページ、被災者救援のためのホームページ、弱者救済のためのホームページ、などに配置すると効果的である。この際に商品等として、このショッピングサイトまたは他のショッピングサイトで商品等の決裁に利用できるポイントなども選択できるように構成すると利便性がさらに高まる。【００８２】
＜発明全体の機能ブロックを用いた説明  機能ブロック１＞【００８３】
図２は本件発明の基本的な機能ブロックの説明である。本件発明であるネットショッピングシステム0200の機能ブロックはすでに説明したカート識別情報保持部0201と、ユーザ識別情報保持部0202と、ログイン受付部0203と、カート識別情報割当部0204と、ショッピングユーザ識別情報割当部0205と、商品等表示部0207と、商品等選択受付部0206と、カート関連付部0208とからなる。【００８４】
説明のために父親でIDがT011のユーザと、その娘でIDがH012のユーザと、息子でIDがN013であるユーザを登場人物として用いる。まず、父親がログイン受付部にてログインする。父親のIDであるT011がログインの際に父親の端末0200aから送信され、そのユーザ識別情報がユーザ識別情報保持部に保持されているものと照合され、ログイン権限があることが確認されてその端末からのネットショッピングシステムの利用が可能となる。この場合、図示しない所定の属性情報が別途保持されているとよい。次に父親の端末0200aからの操作によって父親が自身にカートの割り当てを要求する。すると父親であるログインユーザに対して、カート識別情報割当部0204にてカートが割り当てられる。この場合、父親は娘と息子にショッピングをさせるために二つのカートの割り当てを要求したものとする。この要求に応じてネットショッピングシステム0200のカート識別情報割当部0204では、父親であるログインIDがT011のユーザ識別情報に対して、カートとして、そのカート識別情報がID001というカートと、ID002というカートの二つのカートを割り当てる。【００８５】
その後、本システムのユーザである娘がユーザ識別情報としてH012を用いて端末0200bからログインし、同じく、息子がユーザ識別情報としてN013を用いて端末0200cからログインする。娘と息子がログインしたことが父親の端末に通知されると、父親は自身に対して娘と息子をショッピングユーザとして割り当てる。この処理は父親の端末からの操作で行われる。具体的には父親のユーザ識別情報T011に対して娘のユーザ識別情報H012と息子のユーザ識別情報N013とがショッピングユーザ識別情報として割り当てられる。この割り当てがショッピングユーザ識別情報割当部0205にて処理される。ネットショッピングシステムのユーザは商品等表示部0207から出力される情報に基づいて商品等の表示を自身の端末で行い、商品等の写真、説明等を見たり、場合により聞いたりすることができる。【００８６】
ショッピングユーザは商品等表示部で表示される商品等の写真、説明等に基づいてネットショッピングをすることができる。ショッピングは商品等の選択と、決済に分けて行われるが、ショッピングユーザの端末からの選択操作によって商品等選択受付部0206が商品等の選択を受け付け、その後、選択された商品等の識別情報をカートに割り当てる処理をカート関連付け部が行う。【００８７】
例えば、娘が商品等表示部を介した商品等の表示を見ながら商品識別情報がID001である商品の選択を端末0200bから商品等選択受付部0206に対して送信すると、商品等選択受付部ではショッピングユーザIDがH012に対して商品等識別情報ID001を関連付ける処理を行う。この処理が選択受付処理である。【００８８】
そして娘の端末0200bからの要求に基づいて、またはあらかじめ定められたデフォルト処理によって自身が関連付けられているログインユーザである父親のIDであるT011に関連付けられているカートと選択した商品とを関連付ける処理をする。この処理はカートに買おうとしている商品を割り当てる処理（買い物かごに商品を入れる、とも言われる）であり、このケースでは、カートのカート識別情報ID001と商品１の識別情報ID001とが関連付け処理される。【００８９】
記載していないが、息子もカートに商品を割り当てる処理を行う。例えば息子は娘とは違うカートを利用する。この場合にはカート識別情報がID002のカートである。例えば、息子は商品２を自身のカートに割り当てるとする。娘と息子のカートへの割り当てが終わった段階で父親は二つのカートに割り当てられた商品１と商品２の決済を一度に実行し、ネットショッピングが終了する。【００９０】
カートへの商品等の割り当てについては自身が決裁権限を有しているユーザか自身が決裁権限を有しているユーザに関連付けられているショッピングユーザの地位を有している場合に限定することも考えられる。決裁権限がないにもかかわらずカートに大量の商品を割り当てられると他のユーザのカートに割り当てるべき在庫がなくなり、他のユーザのネットショッピングに支障をきたす場合が想定されるからである。【００９１】
さらに複数のカートがある場合にはカートにいったん入れた商品を再び外に出すないしはキャンセルする処理が可能であるように設計されるが、本件発明の場合にはさらにカートとカートの間で商品等の交換、ドラッグアンドドロップ（引き渡し）、コピーアンドペイスト（コピー）などの処理ができることが好ましい。このようなカート間商品等処理部を有していると便利である。【００９２】
＜発明全体のハードウエア的構成  構成１＞【００９３】
図３は本ネットショッピングシステムのハードウエア的構成を説明するための図である。この図にあるようにネットショッピングシステムであるコンピュータ0300は不揮発性のメモリ0301である例えばHDDやSSDなどとCPU0300-2とDRAMなどで構成される主記憶領域0302とユーザ端末などと通信するための通信インターフェイス0303と外部装置であるLAN-端末0304a、WAN-端末0304b、他のサーバ0304c、ストレージ0304d、マンマシンインターフェイス0304e、プリンター0304f、ディスプレイ0304g、スピーカー0304h、TEL0304i、などの外部装置インターフェイス0304、バスライン0300-1によって構成される。【００９４】
不揮発性メモリ0301には、カート識別情報保持プログラム0301a、ユーザ識別情報保持プログラム0301b、ログイン受付プログラム0301c、カート識別情報割当プログラム0301d、ショッピングユーザ識別情報割当プログラム0301e、商品等表示プログラム0301f、商品等選択受付プログラム0301g、カート関連付プログラム0301h、カート識別情報（データ）0301i、ユーザ識別情報（データ）0301j、商品等識別情報（データ）0301k、商品等属性情報（画像、説明、データ）0301l、や図示しないが、ユーザ属性情報（データ）などが記録されている。またさらにショッピングユーザの過去の買い物の履歴に応じて、その好みを把握し、商品等の推薦をするための推薦プログラムや、推薦プログラムをさらに高度化する人工知能プログラムなどが備えられていてもよい。【００９５】
そして不揮発性メモリのプログラムやデータは主メモリにコピーされ、内外からの命令によって実行され参照される。ユーザの端末に表示されるべき情報、例えば商品等の表示のための情報は商品等表示プログラム内に保持されていてもよいし、データとして不揮発性メモリに保持されていてもよい。さらには、外部ストレージから表示の必要に応じて取得するように構成してもよい。またGUIに関する情報もデータとして不揮発性メモリに保持されていることが好ましい。GUIに関する情報には操作関連のインターフェイスの他にユーザの顔写真のデータや、ユーザの音声データなどが含まれていてもよい。これらはお決まりのあいさつや相手端末の呼び出しの際に利用される。またユーザの音声を自動的に生成するための元データを保持していて、ショッピングの際に人工知能による会話がユーザと可能に構成されていてもよい。【００９６】
＜発明全体の機能ブロックを用いた説明  機能ブロック２＞【００９７】
図４は本件発明の基本的な機能ブロック２の説明である。基本的には機能ブロック１で示したものと同等であり、ネットショッピングシステム0400の機能ブロックはすでに説明したカート識別情報保持部0401と、ユーザ識別情報保持部0402と、ログイン受付部0403と、カート識別情報割当部0404と、ショッピングユーザ識別情報割当部0405と、商品等表示部0407と、商品等選択受付部0406と、カート関連付部0408とからなる。機能ブロック２で特徴的なのは、ショッピングユーザカート割当部0409を有する点である。【００９８】
説明のために父親でIDがT011のユーザと、その娘でIDがH012のユーザと、息子でIDがN013であるユーザを登場人物として用いる。まず、父親がログイン受付部にてログインする。父親のIDであるT011がログインの際に父親の端末0400aから送信され、そのユーザ識別情報がユーザ識別情報保持部に保持されているものと照合され、ログイン権限があることが確認されてその端末からのネットショッピングシステムの利用が可能となる。この場合、図示しない所定の属性情報が別途保持されているとよい。次に父親の端末0400aからの操作によって父親が自身にカートの割り当てを要求する。すると父親であるログインユーザに対して、カート識別情報割当部0404にてカートが割り当てられる。この場合、父親は娘と息子にショッピングをさせるため同じように二つのカートの割り当てを要求したものとする。この要求に応じてネットショッピングシステム0400のカート識別情報割当部0404では、父親であるログインIDがT011のユーザ識別情報に対して、カートとして、そのカート識別情報がID001というカートと、ID002というカートの二つのカートを割り当てる。【００９９】
その後、本システムのユーザである娘がユーザ識別情報としてH012を用いて端末0400bからログインし、同じく、息子がユーザ識別情報としてN013を用いて端末0400cからログインする。娘と息子がログインしたことが父親の端末に通知されると、父親は自身に対して娘と息子をショッピングユーザとして割り当てる。この処理は父親の端末からの操作で行われる。具体的には父親のユーザ識別情報T011に対して娘のユーザ識別情報H012と息子のユーザ識別情報N013とがショッピングユーザ識別情報として割り当てられる。この割り当てがショッピングユーザ識別情報割当部0405にて処理される。ネットショッピングシステムのユーザは商品等表示部0407から出力される情報に基づいて商品等の表示を自身の端末で行い、商品等の写真、説明等を見たり、場合により聞いたりすることができる。【０１００】
ショッピングユーザは商品等表示部で表示される商品等の写真、説明等に基づいてネットショッピングをすることができる。ショッピングは商品等の選択と、決済に分けて行われるが、ショッピングユーザの端末からの選択操作によって商品等選択受付部0406が商品等の選択を受け付け、その後、選択された商品等の識別情報をカートに割り当てる処理をカート関連付け部が行う。【０１０１】
例えば、娘が商品等表示部を介した商品等の表示を見ながら商品識別情報がID001である商品の選択を端末0400bから商品等選択受付部0406に対して送信すると、商品等選択受付部ではショッピングユーザIDがH012に対して商品等識別情報ID001を関連付ける処理を行う。この処理が選択受付処理である。【０１０２】
ここまでは機能ブロック１での説明と同等であるが、機能ブロック２で示す場合には、ショッピングユーザカート割当部があり、ショッピングユーザである娘が利用すべきカートの割り当てを自動的に行う。これはすでにショッピングユーザである娘を関連付けたログインユーザである父親のユーザ識別情報に関連付けられているカート識別情報を用いて自動的に行われる。ただし、ルールがそこに存在していてもよい。代表的なルールは、割り当て順に若い識別番号のカートを割り当てるというものである。またカートに配送先などの属性情報が割り当てられる場合にはショッピングユーザの属性情報から配送地を推定してその配送地向けのカートとしてカートに属性情報を付与する。カートの属性情報があらかじめ割り当てられている場合にはその属性情報とショッピングユーザの属性情報とからマッチングが行われてカートが選択されるようにしてもよい。マッチングには属性情報を用いたマッチングルールが用いられる。【０１０３】
＜発明全体のハードウエア的構成  構成２＞【０１０４】
図５は本ネットショッピングシステムのハードウエア的構成２を説明するための図である。この図にあるようにネットショッピングシステムであるコンピュータ0500は不揮発性のメモリ0501である例えばHDDやSSDなどとCPU0500-2とDRAMなどで構成される主記憶領域0502とユーザ端末などと通信するための通信インターフェイス0503と外部装置であるLAN-端末0504a、WAN-端末0504b、他のサーバ0504c、ストレージ0504d、マンマシンインターフェイス0504e、プリンター0504f、ディスプレイ0504g、スピーカー0504h、TEL0504i、などの外部装置インターフェイス0504、バスライン0500-1によって構成される。【０１０５】
不揮発性メモリ0501には、カート識別情報保持プログラム0501a、ユーザ識別情報保持プログラム0501b、ログイン受付プログラム0501c、カート識別情報割当プログラム0501d、ショッピングユーザ識別情報割当プログラム0501e、商品等表示プログラム0501f、商品等選択受付プログラム0501g、カート関連付プログラム0501h、カート識別情報（データ）0501i、ユーザ識別情報（データ）0501j、商品等識別情報（データ）0501k、商品等属性情報（画像、説明、データ）0501l、や図示しないが、ユーザ属性情報（データ）などが記録されている。ここまでは構成１と同様である。本構成２の特徴点は不揮発性メモリにショッピングユーザカート割当プログラム0501mが記録されている点である。このプログラムはショッピングユーザにカートを割り当てる処理を実行する。その際に使われるルールは、このプログラムに内蔵されていても、外部から取得するように構成してもよい。【０１０６】
そして不揮発性メモリのプログラムやデータは主メモリにコピーされ、内外からの命令によって実行され参照される。【０１０７】
＜発明全体の機能ブロックを用いた説明  機能ブロック３＞【０１０８】
図６は本件発明の基本的な機能ブロック３の説明である。基本的には機能ブロック１、機能ブロック２で示したものと同等であり、ネットショッピングシステム0600の機能ブロックはすでに説明したカート識別情報保持部0601と、ユーザ識別情報保持部0602と、ログイン受付部0603と、カート識別情報割当部0604と、ショッピングユーザ識別情報割当部0605と、商品等表示部0607と、商品等選択受付部0606と、カート関連付部0608とからなる。図示しないがショッピングユーザカート割当部を有していてもよい。機能ブロック３で特徴的なのは、決済処理部0610を有する点である。【０１０９】
機能ブロック１での説明と同じよう父親でIDがT011のユーザと、その娘でIDがH012のユーザと、息子でIDがN013であるユーザを登場人物として用いる。まず、父親がログイン受付部にてログインする。父親のIDであるT011がログインの際に父親の端末0600aから送信され、そのユーザ識別情報がユーザ識別情報保持部に保持されているものと照合され、ログイン権限があることが確認されてその端末からのネットショッピングシステムの利用が可能となる。この場合、図示しない所定の属性情報が別途保持されているとよい。次に父親の端末0600aからの操作によって父親が自身にカートの割り当てを要求する。すると父親であるログインユーザに対して、カート識別情報割当部0604にてカートが割り当てられる。決済処理部0610の機能としては大きく二つに分けて考えられる。一つは決裁権限者を決定するか、または、決裁権限者の情報を保持していること。これにより決裁権限者による決済の実行処理を適正に行うことができる。二つ目は実際に決済のための処理を実行することである。決裁権限者の権限は自身に割り当てられているカートの決裁をする権限である。決裁権限者は一般的にあらかじめクレジットカード情報、デビットカード情報、銀行口座情報、仮想通貨情報、商品等と交換可能なポイント情報、その他の商品等と引き換え可能な債権情報など決済手段に関する情報が登録されているユーザがなることができるが、すべてのショッピングのケースでこの登録がされているユーザが一律に決裁権限者になるのでなく、自身とショッピングユーザとの関係性で決裁権限者になったりならなかったりするように処理されるのが好ましい。例えば、ログインユーザに対してショッピングユーザが割り当てられた時点で決済に関する登録情報があることを前提に決裁権限者として登録することが考えられる。あるいは、ログインユーザに対してカートの割り当てがあった時点で決裁権限者として登録する処理でもよい。これらは決済処理部0610が条件に合致した場合にそのログインユーザに決裁権限を与える処理をし、実際の決裁の際に決裁権限を有しているかチェックをかけて、実際に決裁権限を有している場合に決済処理を実行するように構成する。【０１１０】
例えば、父親は娘と息子にショッピングをさせるため同じように二つのカートの割り当てを要求したものとする。この要求に応じてネットショッピングシステム0600のカート識別情報割当部0604では、父親であるログインIDがT011のユーザ識別情報に対して、カートとして、そのカート識別情報がID001というカートと、ID002というカートの二つのカートを割り当てる。決済処理部の処理はこのカートの割り当て処理を検知し、カートが割り当てられたログインユーザT011に決済可能な決済情報の登録があれば、この時点でこのユーザを決裁権限者として登録する。【０１１１】
その後、本システムのユーザである娘がユーザ識別情報としてH012を用いて端末0600bからログインし、同じく、息子がユーザ識別情報としてN013を用いて端末0600cからログインする。娘と息子がログインしたことが父親の端末に通知されると、父親は自身に対して娘と息子をショッピングユーザとして割り当てる。この処理は父親の端末からの操作で行われる。具体的には父親のユーザ識別情報T011に対して娘のユーザ識別情報H012と息子のユーザ識別情報N013とがショッピングユーザ識別情報として割り当てられる。この割り当てがショッピングユーザ識別情報割当部0605にて処理される。【０１１２】
決済処理部では、先の決裁権限の処理をしないで、この時点で父親であるログインユーザT011に決裁権限を与え登録してもよい。ないしは、さきの時点で仮登録し、この時点で本登録をするというような二段構えで行ってもよい。【０１１３】
ネットショッピングシステムのユーザは商品等表示部0607から出力される情報に基づいて商品等の表示を自身の端末で行い、商品等の写真、説明等を見たり、場合により聞いたりすることができる。【０１１４】
ショッピングユーザは商品等表示部で表示される商品等の写真、説明等に基づいてネットショッピングをすることができる。ショッピングは商品等の選択と、決済に分けて行われるが、ショッピングユーザの端末からの選択操作によって商品等選択受付部0606が商品等の選択を受け付け、その後、選択された商品等の識別情報をカートに割り当てる処理をカート関連付け部が行う。【０１１５】
例えば、娘が商品等表示部を介した商品等の表示を見ながら商品識別情報がID001である商品の選択を端末0400bから商品等選択受付部0406に対して送信すると、商品等選択受付部ではショッピングユーザIDがH012に対して商品等識別情報ID001を関連付ける処理を行う。この処理が選択受付処理である。【０１１６】
また機能ブロック２で示したように、ショッピングユーザカート割当部があり、ショッピングユーザである娘が利用すべきカートの割り当てを自動的に行う。これはすでにショッピングユーザである娘を関連付けたログインユーザである父親のユーザ識別情報に関連付けられているカート識別情報を用いて自動的に行われる。ただし、ルールがそこに存在していてもよい。代表的なルールは、割り当て順に若い識別番号のカートを割り当てるというものである。またカートに配送先などの属性情報が割り当てられる場合にはショッピングユーザの属性情報から配送地を推定してその配送地向けのカートとしてカートに属性情報を付与する。カートの属性情報があらかじめ割り当てられている場合にはその属性情報とショッピングユーザの属性情報とからマッチングが行われてカートが選択されるようにしてもよい。マッチングには属性情報を用いたマッチングルールが用いられるように構成してもよい。【０１１７】
最後に父親は、自身に割り当てられている二つのカートについて同時にまたは、個別に決済処理命令を自身の端末0600aから行い、認証処理後に決済処理が決済処理部0610によって行われる。【０１１８】
＜発明全体のハードウエア的構成  構成３＞【０１１９】
図７は本ネットショッピングシステムのハードウエア的構成２を説明するための図である。この図にあるようにネットショッピングシステムであるコンピュータ0700は不揮発性のメモリ0701である例えばHDDやSSDなどとCPU0700-2とDRAMなどで構成される主記憶領域0702とユーザ端末などと通信するための通信インターフェイス0703と外部装置であるLAN-端末0704a、WAN-端末0704b、他のサーバ0704c、ストレージ0704d、マンマシンインターフェイス0704e、プリンター0704f、ディスプレイ0704g、スピーカー0704h、TEL0704i、などの外部装置インターフェイス0704、バスライン0700-1によって構成される。【０１２０】
不揮発性メモリ0701には、カート識別情報保持プログラム0701a、ユーザ識別情報保持プログラム0701b、ログイン受付プログラム0701c、カート識別情報割当プログラム0701d、ショッピングユーザ識別情報割当プログラム0701e、商品等表示プログラム0701f、商品等選択受付プログラム0701g、カート関連付プログラム0701h、カート識別情報（データ）0701i、ユーザ識別情報（データ）0701j、商品等識別情報（データ）0701k、商品等属性情報（画像、説明、データ）0701l、や図示しないが、ユーザ属性情報（データ）などが記録されている。ここまでは構成１と同様である。さらに、図示しないが、不揮発性メモリにショッピングユーザカート割当プログラムが記録されていてもよい。ここまでは構成１、構成２と同等である。本構成の特徴点は決済処理プログラム0701oが不揮発性メモリに記録されている点である。この決済処理プログラムは、クレジットカード、デビットカード、仮想通貨、銀行口座などの管理サーバと通信して決裁処理を行う。また決裁権限の付与もこれらの管理サーバと通信して行うように構成される。不揮発性メモリのプログラムやデータは主メモリにコピーされ、内外からの命令によって実行され参照される。【０１２１】
＜ショッピング処理パターン１＞【０１２２】
以下に本件発明のネットショッピングシステムを利用したネットショッピングのパターンを説明する。【０１２３】
図８はショッピング処理パターン１を示す図である。このパターンではログインユーザであって決裁権限者は、自身に割り当てられた複数のカートの決裁を一括して実行可能である。登場人物は、東京在住の父親、博多在住の娘、大阪在住の息子の３ユーザである。このパターンでは父親の端末0801からのログインユーザである父親にショッピングユーザとして娘と息子が割り当てられ、娘は端末0802を介してカート１に商品１を割り当て、息子は端末0803を介してカート２に商品２を割り当てる。このカート１とカート２は父親に割り当てられているものである。娘と息子のショッピングが終了した時点で父親は二つのカートに割り当てられている商品を同時に決済処理する。本件発明の最も基本的な処理パターンである。【０１２４】
＜ショッピング処理パターン２＞【０１２５】
図９はショッピング処理パターン２を示す図である。このパターンでは決裁権限者はショッピングユーザでもあるパターンである。登場人物は同じく、東京在住の父親、博多在住の娘、大阪在住の息子の３ユーザである。このパターンでも父親の端末0901からのログインユーザである父親にショッピングユーザとして娘と息子が割り当てられ、娘は自身の端末0902を介してカート１0901aに商品１を割り当て、息子は自身の端末0903を介してカート２0901bに商品２を割り当てる。このパターンでは父親もショッピングユーザとしての属性を有している。この処理はショッピングユーザ識別情報割当部にて行われる。つまりショッピングユーザの割り当ては、ログインユーザ自身に対しても実行することが可能に構成されている。そして、自身に割り当てられているカート１とカート２には父親も商品等を割り当て可能に設計されている。この場合父親は商品３を娘が利用しているカート１に割り当てた。父親と娘と息子のショッピングが終了した時点で父親は二つのカートに割り当てられている商品を同時に決済処理する。【０１２６】
＜ショッピング処理パターン３＞【０１２７】
図１０はショッピング処理パターン３を示す図である。このパターンではカートが複数のショッピングユーザによって利用可能である。登場人物は、東京在住の父親、博多在住の娘１、大阪在住の息子の３ユーザの他に博多在住の娘２を加えた４ユーザである。このパターンでも父親の端末1001からのログインユーザである父親にショッピングユーザとして娘二人と息子が割り当てられ、娘１と娘２はそれぞれの端末1002、1004を介してカート１1001aに商品１と商品４を割り当て、息子は息子の端末1003を介してカート２1001bに商品２を割り当てる。つまり、一のカートを利用することができるのは決裁権限のないショッピングユーザが同時に複数であってもかまわない。このカート１とカート２は父親に割り当てられているものである。娘二人と息子のショッピングが終了した時点で父親は二つのカートに割り当てられている商品を同時に決済処理する。【０１２８】
＜ショッピング処理パターン４＞【０１２９】
図１１はショッピング処理パターン４を示す図である。このパターンはショッピングユーザが複数のカートを利用可能なパターンである。登場人物は、同じく東京在住の父親、博多在住の娘、大阪在住の息子の３ユーザである。このパターンでは父親の端末1101を介したログインユーザである父親にショッピングユーザとして娘と息子が割り当てられ、娘は自身の端末1102を介してカート１1101aに商品１を割り当て、息子は自身の端末1103を介してカート２1101bに商品２を割り当てる。しかし、娘はカート２1101bにも商品５を割り当て、また息子もカート１に商品６を割り当てる。つまり、父親に割り当てられた二つのカートにショッピングユーザである娘と息子は制限なく自由に商品を割り当てることが可能なように設計されている。カート１1101aとカート２1101bは父親に割り当てられているものである。娘と息子のショッピングが終了した時点で父親は二つのカートに割り当てられている商品を同時に決済処理する。つまり、ショッピングユーザと利用可能なカートとの関係は設計により自在に制御可能に設計できる。【０１３０】
＜ショッピング処理パターン５＞【０１３１】
図１２はショッピング処理パターン５を示す図である。このパターンは、一のカートに重複して決裁権限者が設定されている場合、並びに、関連付けられているログインユーザ間に同時に複数の決裁権限者を認めるパターンである。登場人物は、同じく東京在住の父親、博多在住の娘、大阪在住の息子の３ユーザである。このパターンでは父親の端末1201を介したログインユーザである父親にショッピングユーザとして娘と息子が割り当てられ、娘は娘の端末1202を介してカート１1201aに商品１を割り当て、息子は自身の端末1203を介してカート２1201bに商品２を割り当てる。このカート１1201aとカート２1201bは父親に割り当てられているものである。娘と息子のショッピングが終了した時点で父親は二つのカートに割り当てられている商品を同時に決済処理が可能であるが、娘も自身が商品を割り当てていたカート１の決裁権限を有する。つまりログインユーザに関連付けられているショッピングユーザ間で行われるショッピングの決裁は必ずしも関連付けが行われたログインユーザのみが権限を有するように設計する必要はなく、ショッピングユーザに対しても決裁権限を持たせるように設計することが可能である。【０１３２】
＜ショッピング処理パターン６＞【０１３３】
図１３はショッピング処理パターン６を示す図である。このパターンは複数のカートに対する一括決裁権限が複数の決裁権限者に同等に与えられるパターン、ないしは複数のカートに対する決裁権限が複数のログインユーザの合議体に与えられるパターンである。登場人物は、東京在住の父親、博多在住の娘、大阪在住の息子の他に東京在住の母親も加えた４ユーザである。このパターンではそれぞれの端末1301-1、1301-2を介したログインユーザである父親と母親にショッピングユーザとして娘と息子が割り当てられ、娘は自身の端末1302を介してカート１1301aに商品１を割り当て、息子は自身の端末1303を介してカート２1301bに商品２を割り当てる。このカート１1301aとカート２1301bは父親と母親に同時に割り当てられているものである。つまり、カート識別情報割当部によるログインユーザに対するカートの割り当ては複数のログインユーザに対して同時にカートを割り当てるように構成してもよい。このパターンでは父親と母親に決裁権限が認められており、いずれもカート１とカート２の決済処理をする権限を有する。娘と息子のショッピングが終了した時点で父親または母親は二つのカートに割り当てられている商品を同時に決済処理する。もしくは父親が一方の、母親が他方のカートの決済処理を行うようことを強要するように構成してもよい。【０１３４】
＜ショッピング処理パターン７＞【０１３５】
図１４はショッピング処理パターン７を示す図である。このパターンは、カートに配送先を定める属性情報が関連付けられているパターンである。登場人物は、同じく東京在住の父親、博多在住の娘、大阪在住の息子の３ユーザである。このパターンでは自身の端末1401を介したログインユーザである父親にショッピングユーザとして娘と息子が割り当てられ、娘はカート１に商品１を割り当て、息子は自身の端末1402を介してカート２1401bに商品２を割り当てる。このカート１1401aとカート２1401bは父親に割り当てられているものである。娘と息子のショッピングが終了した時点で父親は二つのカートに割り当てられている商品を自身の端末1401を介して同時に決済処理する。基本的な構成であるが、各カートにはあらかじめ配送先が属性情報として関連付けられており、カート１1401aに割り当てられた商品等は息子の所在地である大阪にカート２1401bに割り当てられた商品等は娘の所在地である博多に配送される。いわゆるプレゼントの交換がネット上で行われるパターンである。後ほど実施例２にて説明を追加する。【０１３６】
＜ショッピング処理パターン８＞【０１３７】
図１５はショッピング処理パターン８を示す図である。このパターンはログインユーザに関連付けられたカートの決裁を決裁権限者が個別に決済可能なパターンである。登場人物は、同じく東京在住の父親、博多在住の娘、大阪在住の息子の３ユーザである。このパターンでも自身の端末1501を介したログインユーザである父親にショッピングユーザとして娘と息子が割り当てられ、娘は自身の端末1502を介してカート１1501aに商品１を割り当て、息子は自身の端末1503を介してカート２1501bに商品２を割り当てる。このカート１1501aとカート２1501bは父親に割り当てられているものである。娘と息子のショッピングが終了した時点で父親は自身の端末1501から二つのカートに割り当てられている商品を同時にでなく個別に決済処理する。決裁権限者に割り当てられているカートを必ずしも同時に決裁しなくてもよいパターンである。【０１３８】
＜ショッピング処理パターン９＞【０１３９】
図１６（a）はショッピング処理パターン９を示す図である。このパターンはログインユーザに関連付けられたカートの個別決済が可能であるが、個別決済の一部の決裁は複数のカートについての一括決裁であるパターンである。登場人物は、東京在住の父親、博多在住の娘１、大阪在住の息子の３ユーザの他に博多在住の娘３が加えられている。このパターンでは自身の端末1601からのログインユーザである父親にショッピングユーザとして娘１と娘３と息子が割り当てられ、娘は自身の端末1602を介してカート１1601aに商品１を割り当て、息子は自身の端末1603を介してカート２1601bに商品２を割り当てる。そのほかにカート３1601cがあり、娘３が自身の端末1604を介してカート３1601cに商品を割り当てる。このカート１1601aとカート２1601bとカート３1601cとは父親に割り当てられているものである。息子のショッピングが終了した時点で父親はカート２について決済処理を単独で行い。娘１と娘３のショッピングが終了した時点でカート１とカート３の二つのカートに割り当てられている商品を同時に決済処理する。同時決済がカートのすべてに対してでも個別でもなく、一部複数のカートに対して同時決済処理が可能に設計されている例である。
＜処理の流れ＞【０１４０】
本件発明の処理の流れを以下に説明する。【０１４１】
＜処理の流れ１＞【０１４２】
図１７は本件発明の処理の流れ１を示す図である。この処理の流れは、この図にあるように、まず父親がログインS1701し、自身に複数のカート識別情報を割り当てるS1702。つまり自身にショッピング用のカートを割り当てる処理をする。そしてその後父親はログアウトS1703する。父親がログアウトしたのちに娘と息子がショッピングユーザとしてログインするS1704。その後、娘と息子は父親に割り当てられているカートを用いてショッピングを行いS1705、ショッピング終了後にログアウトするS1706。その後、今度は父親がログインしてS1707娘と息子の買い物がされて商品等が割り当てられているカートについて決済処理を行いS1708ログアウトするS1709。この処理の流れでは父親とその父親にショッピングユーザとして割り当てられている娘や息子は同時にログイン状態にないけれども一連の処理は完結されたということである。このように、ログインユーザが先に後に関連付けられる、またはのちにログインするショッピングユーザのショッピング環境を整えておき、つまりカートを先に準備しておき、ショッピングユーザがショッピングする際には同時にログイン状態になくともよいようにシステムを設計することが可能である。この場合にログインＩＤは、原則的に父親、娘、息子異なる。つまり、カートを関連付けられるログインユーザ、ログインユーザに関連付けれるショッピングユーザのＩＤは原則的にすべて異なるように設計する。【０１４３】
＜処理の流れ２＞
図１８は本件発明の別の処理の流れ２である。この処理の流れは、この図にあるように、まず父親がログインS1801し、自身に複数のカート識別情報を割り当てるS1802。つまり自身にショッピング用のカートを割り当てる処理をする。さらに自身にショッピングユーザとして割り当てられる予定の娘と息子のそれぞれにカートを割り当てるS1803。そしてその後父親はログアウトS1804する。父親がログアウトしたのちに娘と息子のうち娘のみがショッピングユーザとしてログインするS1805。その後、娘は自身に割り当てられているカートを用いてショッピングを行いS1806、ショッピング終了後にログアウトするS1807。その後、今度は父親がログインしてS1808娘と息子に割り当てられたカートのうち娘に割り当てたカートについてのみ決済処理を行いS1809ログアウトするS1810。つまり息子のカートに関しては処理をせずに放置しておく処理となる。【０１４４】
＜処理の流れ３＞
図１９は、処理の流れ３を説明するための図である。まず父親がログインS1901し、すでに買い物済みの娘に割り当てたカートの商品等の訂正を行いS1902、娘のカートの決済処理をするS1903。その後ログアウトするS1904。つまり、決裁権限者には、自身に割り当てられたカートに割り当てられた商品等の訂正権限を持たせることができるのである。【０１４５】
＜処理の流れ４＞
図２０は、処理の流れ４を説明するための図である。まず父親がログインするS2001。そして、自身に二つのカートを割り当てるS2002。つまりログインユーザ識別情報に対して二つのカート識別情報を関連付ける。さらに一つのカートに将来ショッピングユーザとしてログインする娘のショッピングユーザ識別情報を割り当てS2003、他の一つのカートに息子のショッピングユーザ識別情報を関連付けるS2004。娘のショッピングユーザ識別情報に一つのカートの識別情報が関連付けられた時点で、このシステムから娘の利用している端末に対して呼び出しが行われる。つまり、父親からショッピングに招待された旨の通知がなされる。この端末はあらかじめ娘のユーザ識別情報に関連付けて保持されている娘のユーザ属性情報から取得するURLを利用してなされるものである。また息子のユーザ識別情報にカート識別情報が関連付けられた時点で娘の端末に行われたのと同様の呼び出しが息子の端末に対しても行われる。呼び出しに応じて娘はショッピングユーザとしてログインするS2005。ショッピングユーザとしてのログインは娘の端末側の操作で単なるユーザとしてのログインでなく、あらかじめショッピングユーザとしてログインできるように構成してよい。また通常のユーザとしてログインしてからショッピングユーザとする処理が行われてもよい。このケースでは、父親の処理によって娘はショッピングユーザとして処理されることはあらかじめ予定されているので通常のユーザとしてログインした場合でも自動処理によって属性をショッピングユーザとして処理するように設計するのが好ましい。娘は関連付けられたカートを用いてショッピングを行うS2006。これと前後して、父親の端末のチャットボタンが押下されるS2009。本件発明のシステムに組み込まれているチャット機能の利用開始命令である。これによってチャットの呼び出しが娘と息子に対して行われ、父親、娘、息子の三者はそれぞれの端末を介してお互いにチャットが可能となる。なお、チャットに代えてまたは同時にテレビ電話システム、テレビ電話会議システムが利用できるように構成してもよい。息子も娘と同じようにショッピングユーザとしてログインしS2007、自身に割り当てられたカートでショッピングをするS2008。ショッピングが終了した時点で父親は二つのカートの決済処理を行いS2011、娘がログアウトしS2010、父親がログアウトしS203、息子もログアウトしてS2012、一連の処理が終了する。この処理フローで分かるように、本件発明の効果をより高めるために同時にログインしているショッピングユーザや決裁権限を有するログインユーザは相互にチャットできる機能を持たせることが好ましい。つまりチャット部を本件発明に備えるのが好ましい。またチャット機能には呼び出し機能を付加することが好ましい。またチャット機能とは別にログイン前ユーザの端末に対する呼び出し機能を設けることが好ましい。また最初にログインしてショッピングユーザを関連付けられたユーザは、ショッピングの開始時刻をセットしておいて、その時間に一斉に他のユーザの端末に対してログインを促すように構成してもよい。なお、チャット機能は文字でも音声でもよい。【０１４６】
さらにチャット機能に代えてまたは加えて、電話機能、ネット電話機能、ネット会議機能、ネットテレビ会議機能、掲示板機能、SNS機能、短文投稿共有機能、が本件発明に備えられていることが好ましい。これらの制御パネル（チャット会話制御、電話機能制御、ネット電話機能制御、ネット会議機能制御、ネットテレビ会議機能制御）は、商品等表示画面と合わせてディスプレイに表示されるように構成してもよいし、別に表示されるようにしてもよい。これらの機能は、同時にログインして関連付けられているユーザ間でのコミュニケーションに利用するように構成される。ただし、これに限定されず、関連付けられているユーザであれば、ログイン中であるか、そうでないかに関係なく利用できるように構成されていてもよい。例えば、掲示板機能、SNS機能、短文投稿共有機能などである。【０１４７】
またショッピング中にユーザ間でいわゆる「いいね」「すごいね」「かなしいね」「おどろいたね」「それやめない？」「もっとほしいね」「ちょっとおおいね」「べつのにしない？」「おいしそうだね」「たのしそうだね」「きれいだね」「こわいね」「わたしもほしい」などの定型文の感情表明ができる感情表明機能があることが好ましく、感情表明はカートに入れた商品等に対して表明者（ユーザ）を明示して表明されるようにGUIを構成することが好ましい。つまり、感情表明部があることが好ましい。
＜ショッピング画面の構成例＞【０１４８】
＜ショッピング画面の構成例１＞【０１４９】
図２１のパターンは、ショッピングユーザのショッピング中の画面は、自身の商品等表示の画面だけが表示されるが、決裁権限者かつショッピングユーザの画面は自身に関連付けられているショッピングユーザの商品等表示の画面と自身の商品等表示の画面が同時に合わせて表示されるパターンである。【０１５０】
図２１に示すように、ショッピングユーザとしてログインしている娘と同じくショッピングユーザとしてログインしており、かつ決裁権限を有する父親が同時にこのシステムを利用してショッピングをしている際の画面構成の一例である。この図にあるように、娘の画面では自身のショッピングの画面2101のみが表示されているが、父親の画面2102では娘のショッピングの画面2102aと自身のショッピングの画面2102bの両者が表示されている。この画面構成は商品等表示部によって制御される。【０１５１】
＜ショッピング画面の構成例２＞【０１５２】
図２２の画面表示パターンも構成例１と同じであり、決裁権限者かつショッピングユーザの画面には自身に関連付けられた複数のショッピングユーザのショッピングの際の商品等表示画面と、自身の買い物の商品等表示画面が表示される。なお、前記関連付けられた複数のショッピングユーザの数が多い場合には画面切り替えによって決裁権限者の画面にそれらの商品等表示画面が表示されるように構成してもよい。【０１５３】
図２２にあるように、ショッピングユーザとしてログインしている娘と息子がおり、さらに父親がショッピングユーザでありかつ決裁権限者としてログインし、三者が同時にショッピングをしている画面構成例である。この例にあるように娘のショッピング画面2201は娘自身のショッピングの画面のみで構成されており、息子のショッピング画面2203も息子自身のショッピング画面のみで構成されているが、父親のショッピング画面2202は娘のショッピング画面2202a、息子のショッピング画面2202c、そして自身のショッピング画面2202bで構成されている。【０１５４】
＜ショッピング画面の構成例３＞【０１５５】
図２３のショッピング画面の構成は、前２例とは異なり、決裁権限者に関連付けられているショッピングユーザで決裁権限を有しないユーザはお互いに他のショッピングユーザのショッピング中の商品等表示の画面を見ることができるように構成されている。【０１５６】
図２３にあるように、  やはり、ショッピングユーザとしてログインしている娘と息子がおり、さらに父親がショッピングユーザでありかつ決裁権限者としてログインし、三者が同時にショッピングをしている画面構成例である。【０１５７】
この例にあるように娘のショッピング画面2301は娘自身のショッピング画面2301aのみでなく同じくショッピングユーザである息子のショッピング画面2301bも表示されるように構成されており、息子のショッピング画面2303も息子自身のショッピング画面2303aのみでなく同じくショッピングユーザとして同時にログインしている娘のショッピング画面2303bも表示されるように構成されている。父親のショッピング画面2302は娘のショッピング画面2302a、息子のショッピング画面2302c、そして自身のショッピング画面2302bで構成されている。【０１５８】
＜特殊な処理１＞【０１５９】
図２４は、本件発明の特殊な処理例を示す図である。内容はプレゼントの交換の際の処理である。この図にあるようにプレゼントの交換をしようとするＡさんとＢさんがいる。まずＡさんがログインユーザとしてログインし、Ｂさんをショッピングユーザとして関連付け処理する。そして自身にＢさんが利用するためのカートＡを割り当てる。一方、Ｂさんはショッピングユーザとしてログインするが、その後、自身にカートＢを割り当てるとともに、Ａさんをショッピングユーザとして割り当てる。ＡさんはＢさんに関連付けられＢさんが決裁権限を有しているカートＢで買い物をし、Ｂさんに決裁してもらい、ＢさんはＡさんに関連付けられＡさんが決裁権限を有するカートＡで買い物をし、Ａさんに決裁してもらうという処理を可能に設計する。【０１６０】
＜特殊な処理２＞【０１６１】
図２５は、本件発明の特殊な処理例を示す図である。内容はショッピングの識別情報つまり決済の単位ごとに購入許容フィルターを設けてショッピングユーザによるショッピングに制限を設けるものである。制限は、つまり商品等の選択を制限するものである。これは商品等選択受付部の機能として実現する。この処理は決裁権限者の端末に対してチェックボックスを表示して行うことが考えられる。チェックボックスは、商品等群ごとに設けられており、購入許容群にチェックさせたり、また逆に購入を許容しない群にチェックさせたりするように設計される。商品等にはこれらの群の識別子が関連付けられており、商品等選択受付部で選択を受け付けた商品についてこれらのチェック項目との合致性を判断させ、許容商品等である場合にのみ選択受付処理を行う。また、チェックボックスのチェックに基づいて商品等表示部の商品等の表示を制限するように構成することも考えられる。
＜実施例２＞
＜概要＞【０１６２】
実施例２は実施例１を基本として、カート識別情報に配送先識別情報を関連づける発明である。
＜機能的構成＞【０１６３】
図２６は、本実施例におけるネットショッピングシステムの機能ブロックを示す図である。この図にあるように、本実施例のネットショッピングシステムは、
「カート識別情報保持部」と、「ユーザ識別情報保持部」と、「ログイン受付部」と、「カート識別情報割当部」と、「ショッピングユーザ識別情報割当部」と、「商品等表示部」と、「商品等選択受付部」と、「カート関連付部」と、を有するネットショッピングシステムである。【０１６４】
なお、特徴的機能部分は「配送先関連付部」「カート識別情報割当部」であり、これ以外の機能部分を除外しても本件発明の特徴的部分は実現可能である。例えば、ログイン等を前提としたうえでカート識別情報とカートに対する配送先識別情報を割り当てる構成のみからなる装置を想定可能である。また、前記ショッピングユーザ識別情報割当部は、一のログインユーザに対して複数のショッピングユーザ識別情報を割り当て可能であってもよいし、ログインユーザに割り当てられているショッピングユーザにログインユーザに割り当てられているカート識別情報を割り当てるショッピングユーザカート割当部をさらに有していてもよい。【０１６５】
＜構成の説明＞【０１６６】
各機能ブロックで実施例１で説明したものは基本的に実施例２においても共通であるので説明は省略し、本実施例で特徴的な構成である配送先関連付部について説明する。【０１６７】
「配送先関連付部」は、カート識別情報に関連付けられている商品等識別情報で識別される商品等の配送先を識別するための情報である配送先識別情報をカート識別情報に関連付ける機能を有する。これによりカート別に配送先が区別されカートの利用利便性が高まる。配送先関連付部の関連付け処理は、カートに割り当てられたショッピングユーザの属性情報中の配送先住所を用いて関連付けを自動的に行ってもよいし、ログインユーザによって事前に割り当てられたカートに対して配送先情報を割り当てることによって割り当てられるように構成してもよい。配送先識別情報はカート識別情報ごとに関連付けられるのが原則である。ただし例外的にすべてのカートが同一の配送先識別情報に関連付けられていてもよい。なお、配送先は必ずしもユーザの住所、居所である必要はなく、ネットショッピングシステムが利用する物流拠点であってもよい。物流拠点でさらに新たな配送先としてユーザの住所、居所等が関連付けられるように構成してもよい。
＜ハードウエア的構成＞【０１６８】
図２７は、  実施例２のネットショッピングシステムのハードウエア的構成を説明するための図である。この図にあるようにネットショッピングシステムであるコンピュータ2700は不揮発性のメモリ2701である例えばHDDやSSDなどとCPU2700-2とDRAMなどで構成される主記憶領域2702とユーザ端末などと通信するための通信インターフェイス2703と外部装置であるLAN-端末2704a、WAN-端末2704b、他のサーバ2704c、ストレージ2704d、マンマシンインターフェイス2704e、プリンター2704f、ディスプレイ2704g、スピーカー2704h、TEL2704i、などの外部装置インターフェイス2704、バスライン2700-1によって構成される。【０１６９】
不揮発性メモリ2701には、カート識別情報保持プログラム2701a、ユーザ識別情報保持プログラム2701b、ログイン受付プログラム2701c、カート識別情報割当プログラム2701d、ショッピングユーザ識別情報割当プログラム2701e、商品等表示プログラム2701f、商品等選択受付プログラム2701g、カート関連付プログラム2701h、カート識別情報（データ）2701i、ユーザ識別情報（データ）2701j、商品等識別情報（データ）2701k、商品等属性情報（画像、説明、データ）2701l、や図示しないが、ユーザ属性情報（データ）などが記録されている。
さらに本実施例で特徴的なのは、配送先関連付プログラム2701p、配送先とカート識別情報を関連付けたデータ2701q、ユーザの氏名や住所等の情報、ユーザの住所の近辺の物流拠点住所等を含むユーザ属性情報2701rを不揮発性メモリに記録している点である。【０１７０】
そして不揮発性メモリのプログラムやデータは主メモリにコピーされ、内外からの命令によって実行され参照される。
＜配送の具体例＞【０１７１】
図２８は配送の一具体例を示す概念図である。この図にあるようにログインユーザであり決裁権限を有する東京在住の父親に関連付けられたカート１、カート２を使って娘と息子がショッピングをしている。娘は博多在住でカート１を利用してショッピングを行い、息子は大阪在住でカート２を利用してショッピングを行う。娘はカート１に商品１を割り当て、息子はカート２に商品２を割り当ててショッピングが終了する。その後父親が決裁をするが、あらかじめカート１には娘の住所が、カート２には息子の住所が関連付けられており、父親による決裁後直ちに関連付けられている住所地に向かって配送の準備が行われる。【０１７２】
図２９は、同じくログインユーザであり決裁権限を有する東京在住の父親に関連付けられたカート１、カート２を使って娘と息子がショッピングをしている。娘は博多在住でカート１を利用してショッピングを行い、息子は大阪在住でカート２を利用してショッピングを行う。娘はカート１に商品１を割り当て、息子はカート２に商品２を割り当ててショッピングが終了する。しかし、前の例と異なり、本例の場合にはカート１、カート２ともに父親の住所が関連付けられており、父親の決裁後、商品１、商品２ともに父親の住所地に向けて配送の準備がされる。つまり、ショッピングをするユーザの住所、居所が必ずしも商品等の配送地である必要はないのである。この関連付けは自由に行ってよい。【０１７３】
＜実施例３＞
＜実施例３の概要＞【０１７４】
ユーザにカートに関連付けられている商品等の写真、説明、その他の関連情報を閲覧させる基本的機能に加えて、どのユーザにどの商品等の情報を閲覧させるかの制御が可能なネットショッピングシステムである。基本的な構成は実施例１、実施例２と共通である。
＜機能的構成１  基本的構成＞【０１７５】
図３０は本実施例の基本的な機能的構成を示す図である。基本的には実施例１、実施例２の機能的構成と同様であるから共通部分についての説明は省略する。本実施例の特徴点はカート商品閲覧部である。【０１７６】
「カート商品閲覧部」は、ユーザにカートに関連付けられている商品等を閲覧させる機能を有する。商品等を閲覧させるとは、商品等の写真、内容、説明、音声、におい、そのほかの情報を写真、絵、テキスト、音声、におい、動画、静止画によって視聴させることをいう。
＜ハードウエア的構成  基本的構成＞【０１７７】
図３１は本ネットショッピングシステムのハードウエア的構成を説明するための図である。この図にあるようにネットショッピングシステムであるコンピュータ3100は不揮発性のメモリ3101である例えばHDDやSSDなどとCPU3100-2とDRAMなどで構成される主記憶領域3102とユーザ端末などと通信するための通信インターフェイス3103と外部装置であるLAN-端末3104a、WAN-端末3104b、他のサーバ3104c、ストレージ3104d、マンマシンインターフェイス3104e、プリンター3104f、ディスプレイ3104g、スピーカー3104h、TEL3104i、などの外部装置インターフェイス3104、バスライン3100-1によって構成される。【０１７８】
不揮発性メモリ3101には、カート識別情報保持プログラム3101a、ユーザ識別情報保持プログラム3101b、ログイン受付プログラム3101c、カート識別情報割当プログラム3101d、ショッピングユーザ識別情報割当プログラム3101e、商品等表示プログラム3101f、商品等選択受付プログラム3101g、カート関連付プログラム3101h、カート識別情報（データ）3101i、ユーザ識別情報（データ）3101j、商品等識別情報（データ）3101k、商品等属性情報（画像、説明、データ）3101l、や図示しないが、ユーザ属性情報（データ）、商品等の名称、説明、写真、絵、内容、説明、音声、動画、静止画などが記録されている。そして、本実施例の特徴点は、不揮発性メモリ内にカート商品閲覧プログラム3101sが保持されている点である。そして不揮発性メモリのプログラムやデータは主メモリにコピーされ、内外からの命令によって実行され参照される。【０１７９】
＜具体的事例＞【０１８０】
図３４は、実施例３の基本的構成に関して説明する概念図である。この図にあるように父親、娘、息子の三人がネットショッピングシステムを利用してショッピングをしている。娘はカート１に商品１を割り当て、息子はカート２に商品２を割り当てている。この段階で、父親は、父親の端末3401から娘のカート１3401aを閲覧可能であり、息子のカート２3401bも閲覧可能である。さらに娘も自身の端末3402から、息子も自身の端末3403から、自身のカートと相手のカートを閲覧可能であり、お互いにカートの中身を見ながらショッピングを楽しむことができる。
＜機能的構成２  閲覧限定構成＞【０１８１】
図３２は本実施例の基本的な機能的構成を示す図である。基本的には実施例１、実施例２、並びに実施例３の基本的構成の機能的構成と同様であるから共通部分についての説明は省略する。本実施例の特徴点は閲覧可能カート限定部である。【０１８２】
「閲覧可能カート限定部」は、ユーザのユーザ識別情報に応じて閲覧できるカートを限定する機能を有する。カートを閲覧するとは、カートに割り当てられた商品等を閲覧させることを意味し、具体的には、商品等の写真、内容、説明、音声、におい、そのほかの情報を写真、絵、テキスト、音声、におい、動画、静止画によって視聴させることをいう。【０１８３】
本例の特徴点は、この閲覧をユーザのユーザ識別情報に応じて限定しようとする点である。閲覧の限定は、所定のルールとユーザ識別情報とに基づいて行われる。例えば、（１）ログインユーザであって自身にショッピングユーザを関連付けさせているユーザは、関連付けしているショッピングユーザのカートを閲覧できるというルール。（２）ショッピングユーザは、自身が関連付けされているログインユーザのカートは閲覧できないというルール。（３）ショッピングユーザは自身のカートのみしか閲覧できないというルール。（４）決裁権限者はその権限を有するすべてのカートを閲覧できるというルール。（５）ユーザに階層構造があり、上位者は下位者のカートを閲覧できるが逆はできないというルール。（６）ユーザに階層構造があり、同階層の者は互いにカートを閲覧できるが、他はできないというルール。（７）そのユーザのカートは、そのユーザの閲覧許可を取らないと閲覧できないというルール。（８）お互いに承認しあった場合にのみお互いのカートを閲覧しあえるというルール。など多様なルールが適用可能である。
＜ハードウエア的構成  閲覧限定構成＞【０１８４】
図３３は本ネットショッピングシステムのハードウエア的構成を説明するための図である。この図にあるようにネットショッピングシステムであるコンピュータ3300は不揮発性のメモリ3301である例えばHDDやSSDなどとCPU3300-2とDRAMなどで構成される主記憶領域3302とユーザ端末などと通信するための通信インターフェイス3303と外部装置であるLAN-端末3304a、WAN-端末3304b、他のサーバ3304c、ストレージ3304d、マンマシンインターフェイス3304e、プリンター3304f、ディスプレイ3304g、スピーカー3304h、TEL3304i、などの外部装置インターフェイス3304、バスライン3300-1によって構成される。【０１８５】
不揮発性メモリ3301には、カート識別情報保持プログラム3301a、ユーザ識別情報保持プログラム3301b、ログイン受付プログラム3301c、カート識別情報割当プログラム3301d、ショッピングユーザ識別情報割当プログラム3301e、商品等表示プログラム3301f、商品等選択受付プログラム3301g、カート関連付プログラム3301h、カート識別情報（データ）3301i、ユーザ識別情報（データ）3301j、商品等識別情報（データ）3301k、商品等属性情報（画像、説明、データ）3301l、や図示しないが、ユーザ属性情報（データ）、商品等の名称、説明、写真、絵、内容、説明、音声、動画、静止画などが記録されている。そして、さらに、不揮発性メモリ内にカート商品閲覧プログラム3301sが保持されており、閲覧可能カート限定プログラム3301tと、閲覧可能カート限定情報3301uが記録されている。閲覧可能カート限定プログラムは、閲覧可能カート限定情報を用いて、ユーザ識別情報に応じて閲覧可能カートを限定する働きをする。いる点である。そして不揮発性メモリのプログラムやデータは主メモリにコピーされ、内外からの命令によって実行され参照される。
＜具体的事例  閲覧限定構成＞【０１８６】
図３５は、実施例３の基本的構成に関して説明する概念図である。この図にあるように父親、娘、息子の三人がネットショッピングシステムを利用してショッピングをしている。娘はカート１に商品１を割り当て、息子はカート２に商品２を割り当てている。この段階で、父親は、父親の端末3501から娘のカート１3501aを閲覧可能であり、息子のカート２3501bも閲覧可能である。一方娘は自身の端末3502から、自身のカート１3501aを閲覧することは可能であるが、息子のカート3501bを閲覧することはできない。同様に息子も自身の端末3503から、自身のカート3501bを閲覧することはできるが、娘のカート１3501aを閲覧することはできない。プライバシーを保ちながらショッピングを楽しむことができる。この構成ではショッピングユーザは、自身に割り当てられているカートに限定してカートの閲覧ができるように構成されている。
【符号の説明】
【０１８７】
０２００      ・・・  ネットショッピングシステム
０２００ａ    ・・・  父の端末
０２００ｂ    ・・・  娘の端末
０２００ｃ    ・・・  息子の端末
０２０１      ・・・  カート識別情報保持部
０２０２      ・・・  ユーザ識別情報保持部
０２０３      ・・・  ログイン受付部
０２０４      ・・・  カート識別情報割当部
０２０５      ・・・  ショッピングユーザ識別情報割当部
０２０６      ・・・  商品等選択受付部
０２０７      ・・・  商品等表示部
０２０８      ・・・  カート関連付け部
【図１】
2018020561.tif 000003
【図２】
2018020561.tif 000004
【図３】
2018020561.tif 000005
【図４】
2018020561.tif 000006
【図５】
2018020561.tif 000007
【図６】
2018020561.tif 000008
【図７】
2018020561.tif 000009
【図８】
2018020561.tif 000010
【図９】
2018020561.tif 000011
【図１０】
2018020561.tif 000012
【図１１】
2018020561.tif 000013
【図１２】
2018020561.tif 000014
【図１３】
2018020561.tif 000015
【図１４】
2018020561.tif 000016
【図１５】
2018020561.tif 000017
【図１６（ａ）】
2018020561.tif 000018
【図１６（ｂ）】
2018020561.tif 000019
【図１６（ｃ）】
2018020561.tif 000020
【図１６（ｄ）】
2018020561.tif 000021
【図１６（ｅ）】
2018020561.tif 000022
【図１７】
2018020561.tif 000023
【図１８】
2018020561.tif 000024
【図１９】
2018020561.tif 000025
【図２０】
2018020561.tif 000026
【図２１】
2018020561.tif 000027
【図２２】
2018020561.tif 000028
【図２３】
2018020561.tif 000029
【図２４】
2018020561.tif 000030
【図２５】
2018020561.tif 000031
【図２６】
2018020561.tif 000032
【図２７】
2018020561.tif 000033
【図２８】
2018020561.tif 000034
【図２９】
2018020561.tif 000035
【図３０】
2018020561.tif 000036
【図３１】
2018020561.tif 000037
【図３２】
2018020561.tif 000038
【図３３】
2018020561.tif 000039
【図３４】
2018020561.tif 000040
【図３５】
2018020561.tif 000041
【国際調査報告】
2018020561.tif 000042
2018020561.tif 000043
2018020561.tif 000044
2018020561.tif 000045